(57)【要約】【課題】  暗い所でも時刻を知ることができるとともに、多彩な装飾効果が得られるようにする。【解決手段】  最上層に光透過性部材１２を設け、中間層に貫通孔１３が設けられた装飾部材１１を設け、最下層に発光部材１０を設けた。従って、最下層の発光部材１０からの光が中間層の装飾部材１１に設けられた貫通孔１３を通り、この貫通孔１３に対応する部分の最上層の光透過性部材１２を透過することにより、貫通孔１３に対応する付近の光透過性部材１２を照明することができ、これにより暗い所でも時刻を知ることができるとともに、装飾部材１１と光透過性部材１２との両者の装飾効果が得られるので、装飾的なバリエーションが豊富になり、多彩な装飾効果を得ることができる。【選択図】図１
2010197409.tif 000002
【特許請求の範囲】
【請求項１】
最上層に光透過性部材を設け、中間層に貫通部が設けられた装飾部材を設け、最下層に発光部材を設けたことを特徴とする時計用文字板。
【請求項２】
請求項１に記載の時計用文字板において、前記光透過性部材を前記装飾部材よりも小さい面積に形成したことを特徴とする時計用文字板。
【請求項３】
請求項２に記載の時計用文字板において、前記光透過性部材を前記装飾部材の上面における中央寄りに設け、前記光透過性部材と前記装飾部材とが重なる箇所の前記装飾部材に前記貫通部を設けたことを特徴とする時計用文字板。
【請求項４】
請求項２に記載の時計用文字板において、前記光透過性部材を前記装飾部材の上面における外周側に設け、前記光透過性部材と前記装飾部材とが重なる箇所の前記装飾部材に前記貫通部を設けたことを特徴とする時計用文字板。
【請求項５】
請求項１または２に記載の時計用文字板において、前記光透過性部材の上面に遮光性を有する装飾層を設け、この装飾層に光透過性を有する非装飾部を前記貫通部と異なる位置に設けたことを特徴とする時計用文字板。
【請求項６】
請求項１または２に記載の時計用文字板において、前記光透過性部材の上面に遮光性を有する装飾層を設け、この装飾層に光透過性を有する非装飾部を前記貫通部と対応する位置に設けたことを特徴とする時計用文字板。
【請求項７】
請求項３に記載の時計用文字板において、前記光透過性部材はその外周部の端面に光を導く導光性を有し、前記光透過性部材の外周部の外側に位置する箇所には反射面を有する部材が設けられていることを特徴とする時計用文字板。
【請求項８】
請求項７に記載の時計用文字板において、前記光透過性部材の外周部の端面は、凹凸面または斜面に形成されていることを特徴とする時計用文字板。
【請求項９】
請求項７に記載の時計用文字板において、前記光透過性部材の外周部の端面には、印刷や凹凸などの装飾部が設けられていることを特徴とする時計用文字板。
【請求項１０】
請求項４に記載の時計用文字板において、前記光透過性部材はその内周部の端面に光を導く導光性を有し、前記光透過性部材の内周部の内側に位置する箇所の前記装飾部材の上面には反射面が設けられていることを特徴とする時計用文字板。
【請求項１１】
請求項１０に記載の時計用文字板において、前記光透過性部材の内周部の端面は、凹凸面または斜面に形成されていることを特徴とする時計用文字板。
【請求項１２】
請求項１０に記載の時計用文字板において、前記光透過性部材の内周部の端面には、印刷や凹凸などの装飾部が設けられていることを特徴とする時計用文字板。
【請求項１３】
請求項４に記載の時計用文字板において、前記光透過性部材はその内周部の端面に光を導く導光性を有し、前記光透過性部材の内周部の端面は、前記装飾部材の上面から時計の指針までの高さ程度に形成されいることを特徴とする時計用文字板。
【請求項１４】
請求項１３に記載の時計用文字板において、前記指針の先端部には、前記光透過性部材からの光を上方に向けて反射する傾斜部が設けられていることを特徴とする時計用文字板。
【請求項１５】
請求項１に記載の時計用文字板を時計ケース内に配置するとともに、この時計ケース内に配置された前記時計用文字板の上部位置に時計ガラスを配置したことを特徴とする時計。
【発明の詳細な説明】
【技術分野】
【０００１】
この発明は、腕時計などの時計に用いられる発光機能を備えた時計用文字板およびこの時計用文字板を備えた時計に関する。
【背景技術】
【０００２】
従来、腕時計の時計用文字板においては、ＥＬ素子（エレクトロルミネッセンス素子）からなる発光部材を備え、この発光部材を発光させることにより、暗い所でも時刻を知ることができるようにしたものがある。
この種の時計用文字板としては、例えば、発光部材の上方に光透過性部材を設けた構造のもの、あるいは発光部材の上方に貫通孔が設けられた金属製の装飾部材を設けた構造のもがある。
【発明の概要】
【発明が解決しようとする課題】
【０００３】
しかしながら、前者の時計用文字板では、発光部材からの光が光透過性部材を透過し、この透過した光で光透過性部材の上面側全体を照明するだけであり、また、後者の時計用文字板では、発光部材からの光が金属製の装飾部材に設けられた貫通孔を透過し、この透過した光で貫通孔に対応する装飾部材の上面側を部分的に照明するだけであり、いずれの時計用文字板においても、十分な装飾効果が得られないという不都合がある。
【０００４】
この発明の課題は、暗い所でも時刻を知ることができるとともに、多彩な装飾効果が得られるようにすることである。
【課題を解決するための手段】
【０００５】
この発明は、上記課題を解決するために、次のような構成を備えている。
なお、各構成要素には、後述する各実施形態の項で説明される各要素に付されている図面の参照番号などを括弧とともに付す。
請求項１に記載の発明は、図１に示すように、最上層に光透過性部材（１２）を設け、中間層に貫通部（貫通孔１３）が設けられた装飾部材（１１）を設け、最下層に発光部材（１０）を設けたことを特徴とする時計用文字板（４）である。
この発明によれば、最下層の発光部材からの光が中間層の装飾部材に設けられた貫通部を通り、この貫通部に対応する部分の最上層の光透過性部材を透過することにより、貫通部に対応する付近の光透過性部材を照明することができ、このため暗い所でも時刻を知ることができるとともに、装飾部材と光透過性部材との両者の装飾効果が得られるので、装飾的なバリエーションが豊富になり、多彩な装飾効果を得ることが可能になる。
【０００６】
この場合、請求項２に記載の発明は、図２または図３に示すように、前記光透過性部材（図２の１６または図３の２１）を前記装飾部材（図２の１７または図３の２２）よりも小さい面積に形成したことにより、装飾部材の一部を上面側に直接露出させることができ、この露出した部分の装飾部材をも照明することが可能となり、より一層、装飾的なバリエーションを豊富にすることができる。
例えば、請求項３に記載の発明は、図２に示すように、前記光透過性部材（１６）を前記装飾部材（１７）の上面における中央寄りに設け、前記光透過性部材と前記装飾部材とが重なる箇所の前記装飾部材に前記貫通部（貫通孔１８）を設けたことにより、この貫通部に対応する光透過性部材の中央部分を明るくできるとともに、光透過性部材の外周側に露出した部分の装飾部材をも照明することができる。また、請求項４に記載の発明は、図３に示すように、前記光透過性部材（２１）を前記装飾部材（２２）の上面における外周部に設け、前記光透過性部材と前記装飾部材とが重なる箇所の前記装飾部材に前記貫通部（貫通孔２３）を設けれたことにより、この貫通部に対応する光透過性部材の外周側を明るくできるとともに、光透過性部材の内周側に露出した部分の装飾部材をも照明することができる。
【０００７】
また、請求項５に記載の発明は、図４に示すように、前記光透過性部材（２６）の上面に遮光性を有する装飾層（２７）を設け、この装飾層に光透過性を有する非装飾部（２８）を前記貫通部（貫通孔１３）と異なる位置に設けたことにより、貫通部の位置に関係なく、光透過性を有する非装飾部の位置に応じて照明することができ、これによっても装飾的なバリエーションが豊富になるばかりか、装飾部材や光透過性部材などの部品の共通化をも図ることができる。
この場合、請求項６に記載の発明は、図５に示すように、前記光透過性部材の上面に遮光性を有する装飾層（２７）を設け、この装飾層に光透過性を有する非装飾部（２９）を前記貫通部（貫通孔１３）と対応する位置に設けたことにより、効率良く照明することができる。
【０００８】
さらに、請求項７に記載の発明は、図６に示すように、前記光透過性部材（３１）がその外周部の端面（３２）に光を導く導光性を有し、前記光透過性部材の外周部の外側に位置する箇所に、反射面（３３）を有する部材（見切り部９）が設けられていることにより、装飾部材の貫通部（１８）を透過した発光部材（１０）からの光を光透過性部材の外周部の端面に導き、この外周部の端面から出射するので、光透過性部材の外周部分を明るくすることができ、しかも出射した光がその外周部の外側に位置する部材の反射面で反射されるので、光透過性部材の外周部分を更に明るくすることができ、これにより装飾的なバリエーションを豊富にすることができ、多彩な装飾効果を得ることができる。
【０００９】
この場合、請求項８に記載の発明は、図７（ａ）または図７（ｂ）に示すように、前記光透過性部材の外周部の端面が凹凸面（図７（ａ）の３４ａ）または斜面（図７（ｂ）の３４ｂ）に形成されていることにより、光透過性部材の外周部の端面から出射する光を凹凸面により拡散させたり、あるいは斜面により所定方向に向けたりすることができる。また、請求項９に記載の発明は、図８または図９に示すように、前記光透過性部材（図８（ａ）の３１または図９（ａ）の３１）の外周部の端面（図８（ａ）の３２または図９（ａ）の３２）に、印刷や凹凸などの装飾部（図８（ａ）の３６または図９（ａ）の４１）が設けられていることにより、この印刷や凹凸などの装飾部により光透過性部材の外周側に光の模様を表現することができ、より一層、装飾的なバリエーションが豊富になり、多彩な装飾効果を得ることができる。
【００１０】
また、請求項１０に記載の発明は、図１０に示すように、前記光透過性部材（４６）がその内周部の端面（４７）に光を導く導光性を有し、前記光透過性部材の内周部の内側に位置する箇所の前記装飾部材（２２）の上面に、反射面（４８）が設けられていることにより、装飾部材の貫通部（２３）を透過した発光部材（１０）からの光を光透過性部材の内周部の端面に導き、この内周部の端面から出射するので、光透過性部材の内周部分を明るくすることができ、しかも出射した光がその内周部の内側に位置する反射面で反射されるので、光透過性部材の内周部分を更に明るくすることができ、これによっても装飾的なバリエーションを豊富にすることができ、多彩な装飾効果を得ることができる。
【００１１】
この場合、請求項１１に記載の発明は、図１１（ａ）または図１１（ｂ）に示すように、前記光透過性部材（図１１（ａ）または図１１（ｂ）の４６）の内周部の端面が凹凸面（図１１（ａ）の４９ａ）または斜面（図１１（ｂ）の４９ｂ）に形成されていれることにより、光透過性部材の内周部の端面から出射する光を凹凸面により拡散させたり、あるいは斜面により所定方向に向けたりすることができる。また、請求項１２に記載の発明は、図１２または図１３に示すように、前記光透過性部材（図１２（ａ）の５１または図１３（ａ）の５６）の内周部の端面に、印刷や凹凸などの装飾部（図１２（ａ）の５３または図１３（ａ）の５７）が設けられていることにより、この印刷や凹凸などの装飾部により光透過性部材の内周側に光の模様を表現することができ、これによっても、装飾的なバリエーションを豊富にすることができ、多彩な装飾効果を得ることができる。
【００１２】
また、請求項１３に記載の発明は、図１４に示すように、前記光透過性部材（６１）がその内周部の端面（６５）に光を導く導光性を有し、前記光透過性部材の内周部の端面が前記装飾部材（２２）の上面から時計の指針（６６）までの高さ程度に形成されていることにより、指針の先端側を照明することができ、これにより少ない光量でも時刻を知ることが可能になる。この場合、請求項１４に記載の発明は、図１４または図１５に示すように、前記指針の先端部に、前記光透過性部材からの光を上方に向けて反射する傾斜部（図１４の６８または図１５の６９）が設けられていることにより、少ない光量で指針の先端を明るく光らせることができ、より一層、良好に時刻を知ることができる。
【００１３】
さらに、請求項１５に記載の発明は、図１に示すように、請求項１に記載の時計用文字板（４）を時計ケース（１）内に配置するとともに、この時計ケース内に配置された前記時計用文字板の上部位置に時計ガラス（２）を配置したことを特徴とする時計である。
この発明によれば、時計用文字板を時計ケース内に配置しても、時計用文字板の上部位置に配置された時計ガラスを通して、時計用文字板を見ることができるので、この時計用文字板により暗い所でも時刻を知ることができるとともに、装飾的なバリエーションが豊富になり、多彩な装飾効果を得ることができる。
【発明の効果】
【００１４】
以上説明したように、請求項１に記載の発明の時計用文字板によれば、最上層に光透過性部材を設け、中間層に貫通部が設けられた装飾部材を設け、最下層に発光部材を設けたので、最下層の発光部材からの光が中間層の装飾部材に設けられた貫通部を通り、この貫通部に対応する部分の最上層の光透過性部材を透過することにより、貫通部に対応する付近の光透過性部材を照明することができ、このため暗い所でも時刻を知ることができるとともに、装飾部材と光透過性部材との両者の装飾効果が得られるので、装飾的なバリエーションが豊富になり、多彩な装飾効果を得ることができる。
【００１５】
この場合、光透過性部材を装飾部材よりも小さい面積に形成したことにより、装飾部材の一部を上面側に直接露出させることができ、この露出した部分の装飾部材をも照明することが可能になり、より一層、装飾的なバリエーションを豊富にすることができる。例えば、光透過性部材を装飾部材の上面における中央寄りに設け、光透過性部材と装飾部材とが重なる箇所の装飾部材に貫通部を設けることにより、この貫通部に対応する光透過性部材の中央部分を明るくできるとともに、光透過性部材の外周側に露出した部分の装飾部材をも照明することができる。また、光透過性部材を装飾部材の上面における外周側に設け、光透過性部材と装飾部材とが重なる箇所の装飾部材に貫通部を設けることにより、この貫通部に対応する光透過性部材の外周側を明るくできるとともに、光透過性部材の内周側に露出した部分の装飾部材をも照明することができる。
【００１６】
また、光透過性部材の上面に遮光性を有する装飾層を設け、この装飾層に光透過性を有する非装飾部を貫通部と異なる位置に設けることにより、貫通部の位置に関係なく、光透過性を有する非装飾部の位置に応じて照明することができ、これによっても装飾的なバリエーションが豊富になるばかりか、装飾部材や光透過性部材などの部品の共通化をも図ることができる。この場合、光透過性部材の上面に設けられた遮光性を有する装飾層に、光透過性を有する非装飾部を貫通部と対応する位置に設ければ、効率良く照明することができる。
【００１７】
さらに、光透過性部材は、その外周部の端面に光を導く導光性を有し、光透過性部材の外周側に位置する箇所に、反射面を有する部材が設けられていることにより、装飾部材の貫通部を透過した発光部材からの光を光透過性部材の外周部の端面に導き、この外周部の端面から出射するので、光透過性部材の外周部分を明るくすることができ、しかも出射した光がその外周側に位置する部材の反射面で反射されるので、光透過性部材の外周部分を更に明るくすることができ、これにより装飾的なバリエーションを豊富にすることができ、多彩な装飾効果を得ることができる。この場合、光透過性部材の外周部の端面が凹凸面または斜面に形成されていれることにより、光透過性部材の外周部の端面から出射する光を凹凸面により拡散させたり、あるいは斜面により所定方向に向けたりすることができる。また、光透過性部材の外周部の端面に、印刷や凹凸などの装飾部が設けられていることにより、この印刷や凹凸などの装飾部により光透過性部材の外周側に光の模様を表現することができ、より一層、装飾的なバリエーションが豊富になり、多彩な装飾効果を得ることができる。
【００１８】
また、光透過性部材は、その内周部の端面に光を導く導光性を有し、光透過性部材の内周部の内側に位置する箇所の装飾部材の上面に、反射面が設けられていることにより、装飾部材の貫通部を透過した発光部材からの光を光透過性部材の内周部の端面に導き、この内周部の端面から出射するので、光透過性部材の内周部分を明るくすることができ、しかも出射した光がその内周部の内側に位置する反射面で反射されるので、光透過性部材の内周部分を更に明るくすることができ、これによっても装飾的なバリエーションを豊富にすることができ、多彩な装飾効果を得ることができる。この場合、光透過性部材の内周部の端面が凹凸面または斜面に形成されていることにより、光透過性部材の内周部の端面から出射する光を凹凸面により拡散させたり、あるいは斜面により所定方向に向けたりすることができる。また、光透過性部材の内周部の端面に印刷や凹凸などの装飾部を設けることにより、この印刷や凹凸などの装飾部により光透過性部材の内周側に光の模様を表現することができ、これによっても装飾的なバリエーションを豊富にすることができ、多彩な装飾効果を得ることができる。
【００１９】
さらに、光透過性部材は、その内周部の端面に光を導く導光性を有し、光透過性部材の内周部の端面が装飾部材の上面から時計の指針までの高さ程度に形成されていることにより、指針の先端側を照明することができ、これにより少ない光量でも時刻を知ることが可能になる。この場合、指針の先端部に、光透過性部材からの光を上方に向けて反射する傾斜部が設けられていれば、少ない光量で指針の先端を効率良く光らせることができ、より一層、良好に時刻を知ることができる。
【００２０】
また、請求項１５に記載の発明の時計によれば、時計用文字板を時計ケース内に配置するとともに、この時計ケース内に配置された前記時計用文字板の上部位置に時計ガラスを配置したので、時計用文字板を時計ケース内に配置しても、時計用文字板の上部位置に配置された時計ガラスを通して、時計用文字板を見ることができ、このため時計用文字板により暗い所でも時刻を知ることができるとともに、装飾的なバリエーションが豊富になり、多彩な装飾効果を得ることができる。
【図面の簡単な説明】
【００２１】
【図１】この発明の時計用文字板を腕時計に適用した第１実施形態の要部の拡大断面図。
【図２】この発明の時計用文字板を腕時計に適用した第２実施形態の要部の拡大断面図。
【図３】この発明の時計用文字板を腕時計に適用した第３実施形態の要部の拡大断面図。
【図４】この発明の時計用文字板の第４実施形態を示した要部の拡大断面図。
【図５】図４の時計用文字板の変形例を示した要部の拡大平面図。
【図６】この発明の時計用文字板を腕時計に適用した第５実施形態の要部の拡大断面図。
【図７】図６の時計用文字板の光透過性部材の各変形例を示し、（ａ）は光透過性部材の外周部の端面を凹凸面に形成した第１変形例を示した要部の断面図、（ｂ）は光透過性部材の外周部の端面を斜面に形成した第２変形例を示した要部の断面図。
【図８】この発明の時計用文字板の第６実施形態を示し、（ａ）はその要部の拡大平面図、（ｂ）はそのＸ１−Ｘ１矢視における要部の拡大断面図。
【図９】この発明の時計用文字板の第７実施形態を示し、（ａ）はその要部の拡大平面図、（ｂ）はそのＸ２−Ｘ２矢視における要部の拡大断面図。
【図１０】この発明の時計用文字板を腕時計に適用した第８実施形態の要部の拡大断面図。
【図１１】図１０の時計用文字板の光透過性部材の各変形例を示し、（ａ）は光透過性部材の内周面を凹凸面に形成した第１変形例を示した要部の断面図、（ｂ）は光透過性部材の内周面を斜面に形成した第２変形例を示した要部の断面図。
【図１２】この発明の時計用文字板の第９実施形態を示し、（ａ）はその要部の拡大平面図、（ｂ）はそのＸ３−Ｘ３矢視における要部の拡大断面図。
【図１３】この発明の時計用文字板の第１０実施形態を示し、（ａ）はその要部の拡大平面図、（ｂ）はそのＸ４−Ｘ４矢視における要部の拡大断面図。
【図１４】この発明の時計用文字板を腕時計に適用した第１１実施形態の要部の拡大断面図。
【図１５】図１４の指針の変形例を示した要部の断面図。
【図１６】この発明の時計用文字板を腕時計に適用した第１２実施形態の要部の拡大断面図。
【図１７】図１６の時計用文字板の各変形例を示し、（ａ）は光透過性部材の収納部に発光部材を収納した第１変形例を示した要部の拡大断面図、（ｂ）は装飾部材の収納部に発光部材を収納した第２変形例を示した要部の拡大断面図。
【図１８】この発明の時計用文字板を腕時計に適用した第１３実施形態の要部の拡大断面図。
【図１９】図１８の時計用文字板の各変形例を示し、（ａ）は光透過性部材の収納部に発光部材を収納した第１変形例を示した要部の拡大断面図、（ｂ）は装飾部材の収納部に発光部材を収納した第２変形例を示した要部の拡大断面図。
【図２０】この発明の時計用文字板の第１４実施形態を示した要部の拡大断面図。
【図２１】図２０の時計用文字板の各変形例を示し、（ａ）は光透過性部材の突出部を装飾部材の上方に突出させた第１変形例を示した要部の拡大断面図、（ｂ）は光透過性部材の突出部を装飾部材の収納孔内に配置した第２変形例を示した要部の拡大断面図。
【図２２】この発明の時計用文字板の第１５実施形態を示した要部の拡大断面図。
【図２３】この発明の時計用文字板の第１６実施形態を示した要部の拡大断面図。
【図２４】この発明の時計用文字板の第１７実施形態を示した要部の拡大断面図。
【図２５】図２４の時計用文字板の各変形例を示し、（ａ）は光透過性部材の突出部を装飾部材の上方に突出させた第１変形例を示した要部の拡大断面図、（ｂ）は光透過性部材の突出部を装飾部材の収納孔内に配置した第２変形例を示した要部の拡大断面図。
【図２６】この発明の時計用文字板の第１８実施形態を示した要部の拡大断面図。
【図２７】図２６の時計用文字板を縮小した平面図。
【図２８】図２６の時計用文字板の各変形例を示し、（ａ）は光透過性部材の中央部分が厚く外周部分が薄くなるように、光透過性部材の下面に段差部を形成した第１変形例を示した要部の拡大断面図、（ｂ）は光透過性部材に中央部分が薄く外周部分が厚くなるように、光透過性部材の下面に段差部を形成した第２変形例を示した要部の拡大断面図。
【図２９】この発明の時計用文字板の第１９実施形態を示した拡大断面図。
【図３０】図２９の時計用文字板を縮小した平面図。
【図３１】図２９の時計用文字板の各変形例を示し、（ａ）は光透過性部材の中央部分が厚く外周部分が薄くなるように、光透過性部材の下面に段差部を形成した第１変形例を示した要部の拡大断面図、（ｂ）は光透過性部材の中央部分が薄く外周部分が厚くなるように、光透過性部材の下面に段差部を形成した第２変形例を示した要部の拡大断面図。
【図３２】この発明の時計用文字板の第２０実施形態を示した拡大断面図。
【図３３】図３２の時計用文字板の各変形例を示し、（ａ）は発光部材を光透過性部材よりも大きく形成した第１変形例を示した拡大断面図、（ｂ）は装飾部材の中央部分に設けられた収納凹部に発光部材と光透過性部材とを収納した第２変形例を示した拡大断面図。
【図３４】この発明の時計用文字板の第２１実施形態を示した拡大断面図。
【図３５】図３４の時計用文字板の各変形例を示し、（ａ）は光透過性部材の内径を発光部材よりも大きく形成した第１変形例を示した拡大断面図、（ｂ）は装飾部材の外周部に設けられた収納凹部に発光部材と光透過性部材とを収納した第２変形例を示した拡大断面図。
【図３６】この発明の時計用文字板に用いられる光透過性部材の各変形例を示し、（ａ）はその光透過性部材の上面に光透過制御膜を設けた第１変形例の要部の拡大断面図、（ｂ）は光透過性部材の下面に光透過制御膜を設けた第２変形例の要部の拡大断面図。
【発明を実施するための形態】
【００２２】
［第１実施形態］
以下、図１を参照して、この発明の時計用文字板を腕時計に適用した第１実施形態について説明する。
図１は腕時計の内部構造を示した要部の拡大断面図である。この腕時計は、腕時計ケース１を備えている。この腕時計ケース１の上部には、時計ガラス２がパッキン３を介して装着されており、腕時計ケース１の内部には、時計用文字板４と時計モジュール５とが中枠６内に取り付けられた状態で収納されている。また、腕時計ケース１の下面には、裏蓋７が防水リング８を介して取り付けられている。この場合、時計モジュール５は、アナログ機能とデジタル機能のうち、少なくともアナログ機構を備え、時計用文字板４の上方を指針（図示せず）が運針するように構成されている。なお、腕時計ケース１の内周面には、中枠６を覆い隠して時計用文字板４の外周部の上面に当接する見切り部９が内側に突出して形成されている。
【００２３】
時計用文字板４は、時計モジュール５の上面に位置する最下層の発光部材１０と、その上側に位置する中間層の装飾部材１１と、更にその上側に位置する最上層の光透過性部材１２とを積層した３層構造になっている。発光部材１０は、ＥＬ素子などの発光素子からなる平面発光体であり、時計モジュール５の電極（図示せず）と電気的に接続されている。装飾部材１１は金属板からなり、その所定箇所には貫通孔１３が設けられている。この場合、貫通孔１３は、図１に示すように、装飾部材１１の外周部付近に位置し、例えば、１時〜１２時の時字に対応して形成されたり、あるいは時字に沿うリング形状に形成されている。なお、この装飾部材１１の上面には、模様や図形などが設けられている。光透過性部材１２は、ガラスや合成樹脂などからなる光透過性を有する平板であり、貫通孔１３に対応する箇所、またはその付近における上下面の少なくとも一方に、時字などのマークが設けられている。
【００２４】
このような腕時計の時計用文字板４では、最下層の発光部材１２が発光すると、その光が中間層の装飾部材１１に設けられた貫通孔１３を通り、この貫通孔１３に対応する部分の最上層の光透過性部材１２を透過し、貫通孔１３に対応する箇所およびその付近の光透過性部材１２を照明することができる。このため、暗い所でも時刻を知ることができるとともに、装飾部材１１と光透過性部材１２との両者の装飾効果が得られるので、装飾的なバリエーションが豊富になり、多彩な装飾効果を得ることができる。この場合、例えば、装飾部材１１の貫通孔１３が時字に対応して形成されている場合には、時字に対応する箇所、およびその付近を明るくすることができ、また貫通孔１３が時字に沿うリング形状に形成されている場合には、時字に沿うリング形状に明るくすることができる。
【００２５】
［第２実施形態］
次に、図２を参照して、この発明の時計用文字板を腕時計に適用した第２実施形態について説明する。なお、図１に示された第１実施形態と同一部分には同一符号を付し、その説明は省略する。
この腕時計は、時計用文字板１５の光透過性部材１６と装飾部材１７とが第１実施形態と異なり、これ以外は第１実施形態とほぼ同じ構成になっている。
すなわち、この時計用文字板１５は、光透過性部材１６が装飾部材１７よりも小さい面積の円板状に形成され、この光透過性部材１６が装飾部材１７の上面における中央寄りに設けられ、この光透過性部材１６が重なる箇所の装飾部材１７に貫通孔１８が設けられ、最下層に発光部材１０が設けられた構成になっている。この場合、装飾部材１７は、第１実施形態と同様、金属板からなっており、光透過性部材１６の外周部の外側に位置する箇所の上面には、時字が設けられているほか、模様や図形なども設けられている。また、この装飾部材１７の貫通孔１８は、例えば、光透過性部材１６の中央部分に対応する円形状に形成されている。なお、光透過性部材１６は、第１実施形態と同様、ガラスや合成樹脂などからなる光透過性を有する平板であり、貫通孔１８に対応する箇所の上下面の少なくとも一方に、図形やマークなどが印刷やめっきにより設けられている。
【００２６】
このような時計用文字板１５によれば、第１実施形態と同様、最下層の発光部材１０が発光すると、その光が中間層の装飾部材１７に設けられた貫通孔１８を通り、この貫通孔１８に対応する部分の最上層の光透過性部材１６を透過するので、貫通孔１８に対応する光透過性部材１６の中央部分を明るくすることができるとともに、この光透過性部材１６の外周部の外側に露出した装飾部材１７の外周部分をも照明することができる。このため、暗い所でも時刻を知ることができるとともに、装飾部材１７と光透過性部材１６との両者の装飾効果が得られることにより、第１実施形態と同様、装飾的なバリエーションが豊富になり、多彩な装飾効果を得ることができる。この場合、例えば、光透過性部材１６の外周側に位置する装飾部材１７の上面に時字や模様などが設けられていれば、その時字や模様などをも照明することができるので、時刻を容易に視認できるとともに、多彩な装飾効果をも得ることができる。
【００２７】
［第３実施形態］
次に、図３を参照して、この発明の時計用文字板を腕時計に適用した第３実施形態について説明する。この場合にも、図１に示された第１実施形態と同一部分には同一符号を付し、その説明は省略する。
この腕時計は、時計用文字板２０の光透過性部材２１と装飾部材２２とが第１実施形態と異なり、これ以外は第１実施形態とほぼ同じ構成になっている。
すなわち、この時計用文字板２０は、光透過性部材２１が装飾部材２２よりも小さい面積のリング状に形成され、この光透過性部材２１が装飾部材２２の外周部の上面に設けられ、この光透過性部材２１が重なる箇所の装飾部材２２に貫通孔２３が設けられ、最下層に発光部材１０が設けられた構成になっている。この場合、光透過性部材２１は、第１実施形態と同様、ガラスや合成樹脂などからなる光透過性を有するリング状の平板であり、その外周部の一部が中枠６と共に腕時計ケース１の見切り部９の下面に当接して押えられている。装飾部材２２は、第１実施形態と同様、金属板からなっており、光透過性部材２１の内周部の内側に位置する箇所の上面には、時字や模様、図形などが設けられている。なお、装飾部材２２の貫通孔２３は、第１実施形態と同様、例えば、時字に対応して形成されたり、あるいは時字に沿うリング形状に形成されている。
【００２８】
このような時計用文字板２０では、第１実施形態と同様、最下層の発光部材１０が発光すると、その光が中間層の装飾部材２２の外周部に設けられた貫通孔２３を通り、この貫通孔２３に対応する部分の最上層の光透過性部材２１を透過するので、貫通孔２３に対応する光透過性部材２１の内周部を明るくすることができるとともに、光透過性部材２１の内周部の内側に露出した装飾部材２２の上面をも照明することができる。このため、暗い所でも時刻を知ることができるとともに、光透過性部材２１と装飾部材２２との両者の装飾効果が得られるので、第１実施形態と同様、装飾的なバリエーションが豊富になり、多彩な装飾効果を得ることができる。この場合、例えば、装飾部材１１の貫通孔１３が時字に対応して形成されている場合には、光透過性部材２１の内側に位置する装飾部材２２の上面に設けられた時字や模様などに対応する箇所、およびその付近を明るくすることができ、また貫通孔１３が時字に沿うリング形状に形成されている場合には、光透過性部材２１の内側に位置する装飾部材２２の上面を時字に沿うリング形状に明るくすることができる。
【００２９】
［第４実施形態］
次に、図４を参照して、この発明の時計用文字板の第４実施形態について説明する。この場合にも、図１に示された第１実施形態と同一部分には同一符号を付し、その説明は省略する。
この時計用文字板２５は、光透過性部材２６が第１実施形態と異なり、これ以外は第１実施形態と同じ構成になっている。
すなわち、この光透過性部材２６は、第１実施形態と同様、ガラスや合成樹脂などからなる光透過性を有する平板であり、その上面には、遮光性を有する装飾層２７が印刷やめっきなどにより設けられている。この装飾層２７には、光透過性を有する非装飾部２８が開口部としてその下側の装飾部材１１の貫通孔１３と異なる位置に設けられている。なお、この装飾層２７は、模様や図形などを表すように形成されている。なお、装飾部材１１の下側には、発光部材１０が設けられている。
【００３０】
このような時計用文字板２５では、第１実施形態と同様、最下層の発光部材１０が発光すると、その光が中間層の装飾部材１１に設けられた貫通孔１３を通り、この貫通孔１３に対応する部分から最上層の光透過性部材２６内に入射する。この入射した光は、光透過性部材２６の上面に設けられた装飾層２７により外部への出射が遮られるため、光透過性部材２６に沿ってその内部を進み、装飾層２７の開口部である非装飾部２８から上方に出射される。このため、非装飾部２８の箇所およびその付近を照明することができ、これにより暗い所でも時刻を知ることができる。特に、装飾層２７の非装飾部２８が装飾部材１１の貫通孔１３と異なる位置に設けられているので、貫通孔１３の位置に関係なく、非装飾部２８の位置に応じて照明することができる。しかも、この装飾層２７は模様や図形などを表しているので、これによっても、装飾的なバリエーションが豊富になり、多彩な装飾効果を得ることができるばかりか、装飾層２７により装飾部材１１や光透過性部材２６などの部品の共通化をも図ることができる。
【００３１】
なお、上記第４実施形態では、光透過性部材２６の上面に設けられた装飾層２７の非装飾部２８をその下側に設けられた装飾部材１１の貫通孔１３と異なる位置に設けた場合について述べたが、これに限らず、例えば、図５に示すように、光透過性部材２６の上面に設けられた装飾層２７の非装飾部２９を装飾部材１１の貫通孔１３に対応させて設けても良い。例えば、装飾層２７の非装飾部２９は、図５に示すように、星形の形状で、装飾部材１１の貫通孔１３にほぼ内接するように形成されている。このように構成すれば、第４実施形態の場合よりも、上方に出射される光の損失が少ないので、発光部材１０からの光を効率良く装飾層２７の上方に出射させることができ、第４実施形態の非装飾部２８よりも、より一層、非装飾部２９を明かるくすることができる。
【００３２】
［第５実施形態］
次に、図６を参照して、この発明の時計用文字板を腕時計に適用した第５実施形態について説明する。この場合には、図２に示された第２実施形態と同一部分に同一符号を付し、その説明は省略する。
この腕時計は、時計用文字板３０の光透過性部材３１と、その外周部の外側に位置する腕時計ケース１の見切り部９とが第２実施形態と異なり、これ以外は第２実施形態と同じ構成になっている。
すなわち、この時計用文字板３０は、第２実施形態と同様、光透過性部材３１が装飾部材１７よりも小さい面積の円板状に形成され、この光透過性部材３１が装飾部材１７の上面における中央寄りに設けられ、この光透過性部材３１が重なる箇所の装飾部材１７に貫通孔１８が設けられ、最下層に発光部材１０を設けた構成になっている。
【００３３】
この場合、光透過性部材３１は、導光性を有する円形状の平板で、その上面に光が外部に出射するのを防ぐように反射する遮光反射処理部３１Ａが施され、これにより下面側から入射した光をその面方向における外周部の端面３２に導き、この端面３２から外周部の外側に向けて出射するように構成されている。また、装飾部材１７は、第２実施形態と同様、金属板からなっており、光透過性部材３１の外周部の外側に位置する箇所の上面には、時字が設けられているほか、模様や図形などが設けられている。
なお、光透過性部材３１の上面に光が外部に出射するのを防ぐように反射する遮光反射処理部３１Ａを施す代わりに、光透過性部材３１自体を左右方向に光を導く導光性材料で形成し、下部から入射された光を外周部の端面３２に導き、この端面３２から外周部の外側に向けて出射するように構成しても良い。
一方、腕時計ケース１の内面に形成された見切り部９は、その下面に時計用文字板３０の装飾部材１７の外周部の上面が中枠６と共に当接している。この見切り部９の内周面は、図６に示すように、上部が広く下部が狭くなるすり鉢状の斜面つまり上方を向いた斜面に形成されており、この斜面には、反射面３３が光透過性部材３１の外周部の端面３２に対応して設けられている。
【００３４】
このような腕時計の時計用文字板３０では、最下層の発光部材１０が発光すると、その光が中間層の装飾部材１７に設けられた貫通孔１８を通り、この貫通孔１８に対応する部分から最上層の光透過性部材３１内に入射し、この入射した光が光透過性部材３１の上面から外部に出射することなく、光透過性部材３１の外周部の端面３２に導かれ、この端面３２から外部に出射される。これにより、光透過性部材３１の外周側を照明することができ、暗い所でも時刻を知ることができる。この場合、光透過性部材３１の外周部の端面３２から外部に出射した光は、腕時計ケース１の見切り部９の斜面に設けられた反射面３３により上方に向けて反射されるので、より一層、光透過性部材３１の外周側を明るくすることができる。この場合には、第２実施形態と同様、光透過性部材３１の外周部の外側に装飾部材１７の外周部分が露出しているので、この露出した装飾部材１７の外周部分を照明することができる。このため、例えば光透過性部材３１の外周部の外側に位置する装飾部材１７の上面に時字や模様などが設けられていれば、その時字や模様などを照明することができ、これにより装飾的なバリエーションが豊富になり、多彩な装飾効果を得ることができる。
【００３５】
なお、上記第５実施形態では、光透過性部材３１の外周部の端面３２が平坦面に形成されているが、これに限らず、例えば、図７（ａ）または図７（ｂ）に示すように形成しても良い。
すなわち、図７（ａ）に示した第１変形例では、光透過性部材３１の外周部の端面を凹凸面３４ａに形成した。このようにすれば、光透過性部材３１の外周部の端面から出射する光を凹凸面３４ａにより外部に拡散させることができ、これにより光透過性部材３１の外周側を明るくすることができる。
また、図７（ｂ）に示した第２変形例では、光透過性部材３１の外周部の端面を上向きの斜面３４ｂに形成した。このようにすれば、光透過性部材３１の外周部の端面から出射する光を斜面３４ｂにより斜め上方に向けて出射させることができる。
なお、第１、第２変形例のいずれにおいても、出射された光の一部が見切り部９の反射面３３で上方に向けて反射されることにより、より一層、見切り部９付近を明るくすることができる。
【００３６】
［第６実施形態］
次に、図８（ａ）および図８（ｂ）を参照して、この発明の時計用文字板の第６実施形態について説明する。この場合には、図６に示された第５実施形態と同一部分に同一符号を付し、その説明は省略する。
この時計用文字板３５は、光透過性部材３１の外周面の端面３２に装飾部３６を設けた構成で、これ以外は第５実施形態とほぼ同じ構成になっている。
すなわち、この光透過性部材３１の外周部の端面３２には、図８（ａ）および図８（ｂ）に示すように、遮光性を有する装飾部３６が１時〜１２時の時字に対応して印刷やめっき、蒸着などにより設けられている。これに伴って、腕時計ケース１の見切り部９の斜面には、図８（ａ）に示すように、反射面３７が、各装飾部３６に対応する箇所を除く、各装飾部３６間に対応して設けられている。
【００３７】
このような時計用文字板３５によれば、第５実施形態と同様、発光部材１０からの光が装飾部材１７の貫通孔１８を通して光透過性部材３１に入射し、この入射した光が光透過性部材３１の外周部の端面３２に導かれ、この端面３２から外部に出射されるときに、各装飾部３６により遮光されるため、各装飾部３６に対応する箇所の光透過性部材３１の外周部の外側は暗くなるが、これ以外の各装飾部３６の間から外部に光が出射されるため、各装飾部３６間に対応する箇所の光透過性部材３１の外周部の外側は明るくなり、これにより光透過性部材３１の外周部の外側に光による模様を表現することができる。また、このように光透過性部材３１の外周部の外側に出射された光は、腕時計ケース１の見切り部９に各装飾部３６間と対応して設けられ各反射面３７により部分的に上方に向けて反射されるので、これによっても、光による模様を表現することができる。このため、この時計用文字板３５によれば、装飾的なバリエーションが非常に豊富になり、極めて多彩な装飾効果を得ることができる。
【００３８】
［第７実施形態］
次に、図９（ａ）および図９（ｂ）を参照して、この発明の時計用文字板の第７実施形態について説明する。この場合にも、図６に示された第５実施形態と同一部分には同一符号を付し、その説明は省略する。
この時計用文字板４０は、光透過性部材３１の外周面の端面３２に装飾部４１を設けた構成で、これ以外は第５実施形態とほぼ同じ構成になっている。
すなわち、この光透過性部材３１の外周部の端面３２には、図９（ａ）および図９（ｂ）に示すように、凹凸形状の装飾部４１が設けられている。この装飾部４１は、例えば、１時〜１２時の時字に対応する箇所が鋭角な凹部４１ａに形成され、これら凹部４１ａの間が円弧面状の凸部４１ｂに形成された構成になっている。一方、腕時計ケース１の見切り部９の斜面には、図９（ａ）に示すように、反射面４２がほぼリング形状に形成されている。この場合、反射面４２は、光透過性部材３１の装飾部４１の各凹部４１ａに対応する箇所が外周側に向けて鋭角に突出する凹凸部４２ａに形成されている。
【００３９】
このような時計用文字板４０によれば、第５実施形態と同様、発光部材１０からの光が装飾部材１７の貫通孔１８を通して光透過性部材３１に入射し、この入射した光が光透過性部材３１の外周部の端面３２に導かれ、この端面３２から外部に出射されるときに、装飾部４１の各凹部４１ａの箇所では光の出射量が少ないため、各凹部４１ａに対する箇所の光透過性部材３１の外周部の外側は暗くなるが、装飾部４１の各凸部４１ｂの箇所では光の出射量が多いため、これら各凸部４１ｂに対応する箇所の光透過性部材３１の外周部の外側は明るくなり、これにより光透過性部材３１の外周部の外側に光の模様を表現することができる。また、このように光透過性部材３１の外周部の外側に出射された光は、腕時計ケース１の見切り部９の反射面４２により上方に向けて反射されるときに、反射面４２の凹凸部４２ａとこれらの間とで形状が異なるので、光の反射状態も異なり、これによっても、光の模様を表現することができる。このため、この時計用文字板４０においても、第６実施形態と同様、装飾的なバリエーションが非常に豊富になり、極めて多彩な装飾効果を得ることができる。
【００４０】
［第８実施形態］
次に、図１０を参照して、この発明の時計用文字板を腕時計に適用した第８実施形態について説明する。この場合には、図３に示された第３実施形態と同一部分に同一符号を付し、その説明は省略する。
この腕時計は、時計用文字板４５の光透過性部材４６が第３実施形態と異なり、これ以外は第３実施形態とほぼ同じ構成になっている。
すなわち、この時計用文字板４５は、第３実施形態と同様、光透過性部材４６が装飾部材２２よりも小さい面積のリング状に形成され、この光透過性部材４６が装飾部材２２の外周部の上面に設けられ、この光透過性部材４６が重なる箇所の装飾部材２２に貫通孔２３が設けられ、最下層に発光部材１０が設けられた構成になっている。
【００４１】
この場合、光透過性部材４６は、導光性を有するリング形状の平板で、その上面に光が外部に出射するのを防ぐように反射する遮光反射処理が施され、これにより下面側から入射した光をその面方向における内周部の端面４７に導き、この端面４７から内周部の内側外部に向けて出射するように構成されている。
また、装飾部材２２は、第３実施形態と同様、金属板からなっており、光透過性部材４６の内周部の内側に位置する部分が上方に露出している。この露出した装飾部材２２の上面には、光透過性部材４６の内周部の端面４７に接近して反射面４８が設けられている。この反射面４８は、例えば、時字に対応して形成されていたり、あるいは時字に沿うリング形状に形成されている。なお、装飾部材２２の上方に露出する上面には、反射面４８を除いて、模様や図形などが設けられている。また、光透過性部材４６の上面には、時字や模様などが印刷やめっきにより設けられている。
【００４２】
このような腕時計の時計用文字板４５では、最下層の発光部材１０が発光すると、その光が中間層の装飾部材２２に設けられた貫通孔２３を通り、この貫通孔２３に対応する部分から最上層の光透過性部材４６内に入射し、この入射した光が光透過性部材４６の上面から外部に出射することなく、光透過性部材４６の内周部の端面４７に導かれ、この端面４７から内側外部に出射される。これにより、光透過性部材４６の内周部の内側を照明することができ、暗い所でも時刻を知ることができる。この場合、光透過性部材４６の内周部の端面４７から内側外部に出射した光は、装飾部材２２の上方に露出する上面に設けられた反射面４８により上方に向けて反射されるので、より一層、光透過性部材４６の内周部の内側を明るくすることができる。このため、例えば光透過性部材４６の内周部の内側に位置する装飾部材２２の上面に時字や模様などが設けられていれば、その時字や模様などを良好に照明することができ、より一層、装飾的なバリエーションが豊富になり、多彩な装飾効果を得ることができる。
【００４３】
なお、上記第８実施形態では、光透過性部材４６の内周部の端面４７が平坦面に形成されているが、これに限らず、例えば、図１１（ａ）または図１１（ｂ）に示すように形成しても良い。
すなわち、図１１（ａ）に示した第１変形例では、光透過性部材４６の内周部の端面を凹凸面４９ａに形成した。このようにすれば、光透過性部材４６の内周部の端面から出射する光を凹凸面４９ａにより内側外部に拡散させることができ、その光の一部が更に装飾部材２２の反射面４８で反射されるので、より一層、光透過性部材４６の内周部の内側を明るくすることができる。
また、図１１（ｂ）に示した第２変形例では、光透過性部材４６の内周部の端面を下向きの斜面４９ｂに形成した。このようにすれば、光透過性部材４６の内周部の端面から出射する光を斜面４９ｂにより内側の斜め下方に向けて出射させることができ、その光が更に装飾部材２２の反射面４８で反射されるので、より一層、光透過性部材４６の内周部の内側を明るくすることができる。
【００４４】
［第９実施形態］
次に、図１２（ａ）および図１２（ｂ）を参照して、この発明の時計用文字板の第９実施形態について説明する。この場合には、図１０に示された第８実施形態と同一部分に同一符号を付し、その説明は省略する。
この時計用文字板５０は、光透過性部材５１の内周面の端面を斜面５２に形成し、この斜面５２に装飾部５３を設けた構成で、これ以外は第８実施形態とほぼ同じ構成になっている。
すなわち、この光透過性部材５１の内周部の端面は、図１２（ｂ）に示すように、下向きの斜面５２に形成されており、この斜面５２には、図１２（ａ）および図１２（ｂ）に示すように、遮光性を有する装飾部５３が１時〜１２時の時字に対応して印刷やめっき、蒸着などにより設けられている。なお、光透過性部材５１の内周部の内側に位置して露出する装飾部材２２の上面には、図１０に示す反射面４８が、各装飾部５３に対応する箇所を除く、各装飾部５３間に対応して設けられていても良い。
【００４５】
このような時計用文字板５０では、第８実施形態と同様、発光部材１０からの光が装飾部材２２の貫通孔２３を通して光透過性部材５１に入射し、この入射した光が光透過性部材５１の内周部の端面に導かれ、この端面の斜面５２から斜め下方に出射されるときに、各装飾部５３により遮光されるため、各装飾部５３に対応する箇所の光透過性部材５１の内周部の内側は暗くなるが、これ以外の各装飾部５３間から光が出射されるため、各装飾部５３間に対応する箇所の光透過性部材５１の内周部の内側は明るくなり、これにより光透過性部材５１の内周部の内側に光による模様を表現することができる。また、このように光透過性部材５１の内周部の内側に出射された光は、装飾部材２２の上面に各装飾部５３間と対応して設けられた各反射面４８により部分的に反射されるので、これによっても、光による模様を表現することができる。このため、この時計用文字板５０においても、装飾的なバリエーションが非常に豊富になり、極めて多彩な装飾効果を得ることができる。
【００４６】
［第１０実施形態］
次に、図１３（ａ）および図１３（ｂ）を参照して、この発明の時計用文字板の第１０実施形態について説明する。この場合にも、図１０に示された第８実施形態と同一部分には同一符号を付し、その説明は省略する。
この時計用文字板５５は、光透過性部材５６の内周面の端面を凹凸形状の装飾部５７に形成した構成で、これ以外は第８実施形態とほぼ同じ構成になっている。
すなわち、この光透過性部材５６の内周部の端面は、図１３（ａ）に示すように、凹凸形状の装飾部５７が設けられている。この装飾部５７は、例えば、１時〜１２時の時字に対応する箇所が鋭角な凸部５７ａに形成され、これら凸部５７ａの間が円弧面状の凹部５７ｂに形成された構成になっている。この場合、凸部５７ａには、図１３（ｂ）に示すように、下向きの斜面５７ｃが形成されている。
【００４７】
このような時計用文字板５５では、第８実施形態と同様、発光部材１０からの光が装飾部材２２の貫通孔２３を通して光透過性部材５６に入射し、この入射した光が光透過性部材５６の内周部の端面の装飾部５７に導かれ、この装飾部５７から内側外部に出射されるときに、装飾部５７の各凸部５７ａの箇所では光が集中し、かつ斜面５７ｃにより斜め下方に向けて出射されるので、光の出射量が多くなり、このため各凸部５７ａに対する箇所の光透過性部材５６の内周部の内側が明るくなり、また装飾部５７の各凹部５７ｂの箇所では凸部５７ａに比べて光の出射量が少ないため、これら各凸部５７ｂに対応する箇所の光透過性部材５６の内周側が凸部５７ａに対応する箇所よりも少し暗くなり、これにより光透過性部材５７の内周部の内側に光の模様を表現することができる。なお、この場合、装飾部材２２の上面に第８実施形態と同様に反射面４８を設け、この反射面４８により光透過性部材５６の内周部から出射された光を反射するようにすれば、更に光の模様を変化させることができ、より一層、装飾的なバリエーションが豊富になり、更に多彩な装飾効果を得ることができる。
【００４８】
［第１１実施形態］
次に、図１４を参照して、この発明の時計用文字板を腕時計に適用した第１１実施形態について説明する。この場合にも、図１０に示された第８実施形態と同一部分には同一符号を付し、その説明は省略する。
この腕時計は、時計用文字板６０の光透過性部材６１が第８実施形態と異なり、これ以外は第８実施形態とほぼ同じ構成になっている。
すなわち、この時計用文字板６０は、第８実施形態と同様、光透過性部材６１がリング状に形成され、この光透過性部材６１が装飾部材２２の外周部の上面に設けられ、この光透過性部材６１が重なる箇所の装飾部材２２に貫通孔２３が設けられ、最下層に発光部材１０が設けられた構成になっている。
【００４９】
光透過性部材６１は、図１４に示すように、装飾部材２２の上面から腕時計ケース１の見切り部６２の上部までの高さとほぼ同じ高さに形成されている。この場合、腕時計ケース１の見切り部６２は、その内周面がほぼ垂直に形成されている。これに伴って、光透過性部材６１の外周面の下部には、見切り部６２の下面に中枠６と共に当接して押え付けられる鍔部６３が設けられている。また、光透過性部材６１の上面は、その外周側上部から内周側中間部に向けて傾斜する斜面６４に形成されており、この斜面６４の下側に位置する内周面６５は、時計モジュール５の指針６６の高さ、つまり装飾部材２２の上面から指針６６までの高さとほぼ同じ高さに形成されている。このような光透過性部材６１は、導光性を有する材料からなり、その上部側の斜面６４および外周面に光が外部に出射するのを防ぐように反射する遮光反射処理が施され、これにより下面側から入射した光を内周面６５に導き、この内周面６５から内側外部に向けて出射するように構成されている。また、指針６６は、時計モジュール５（図１参照）の指針軸６７に上端部に取り付けられて装飾部材２２の上方を運針するものであり、その先端には、上向きの斜面６８が斜め切断により設けられている。
【００５０】
このような腕時計の時計用文字板６０では、最下層の発光部材１０が発光すると、その光が中間層の装飾部材２２に設けられた貫通孔２３を通り、この貫通孔２３から最上層の光透過性部材６１内に入射し、この入射した光が光透過性部材６１の上部側の斜面６４および外周面から外部に出射することなく、光透過性部材６１の内周面６５に導かれ、この内周面６５から内側に出射される。このため、光透過性部材６１の内周面６５の内側に位置する指針６６の先端を少ない光量で照明することができ、これにより暗い所でも時刻を知ることができる。この場合、指針６６の先端に上向きの斜面６８が設けられているので、光透過性部材６１の内周面６５から出射された光を斜面６８で上方に反射することにより、少ない光量で先端を明るく光らせることができ、これにより良好に時刻を知ることができる。
【００５１】
なお、上記第１１実施形態では、指針６６の先端に上向きの斜面６８を斜め切断により形成したが、これに限らず、例えば、図１５に示すように、指針６６の先端を斜め下方に向けて折り曲げることにより、指針６６の先端に斜面６９を形成しても良い。このようにしても、第１１実施形態と同様の作用効果があることは言うまでもない。
【００５２】
［第１２実施形態］
次に、図１６を参照して、この発明の時計用文字板を腕時計に適用した第１２実施形態について説明する。この場合には、図１に示された第１実施形態と同一部分に同一符号を付し、その説明は省略する。
この腕時計は、時計用文字板７０が第１実施形態と異なり、これ以外は第１実施形態とほぼ同じ構成になっている。
すなわち、この時計用文字板７０は、時計モジュール５の上面に配置される最下層の装飾部材７１と、その上に配置される中間層の発光部材７２と、更にその上に配置される最上層の光透過性部材７３とを備え、最下層の装飾部材７１の上面に下側凹部７４を設け、最上層の光透過性部材７３の下面に上側凹部７５を設け、これら下側凹部７４と上側凹部７５とで中間層の発光部材７２を収納した３層構造になっている。
【００５３】
この場合、最下層の装飾部材７１は、金属や合成樹脂からなる平板であり、最上層の光透過性部材７３よりも大きい面積に形成され、その外周部が腕時計ケース１の見切り部９と中枠６とにより押えられている。この装飾部材７１の上面の中央部分には、発光部材７２を収納する下側凹部７４が発光部材７２の厚さのほぼ下側半分程度の深さで形成されている。なお、この下側凹部７４の底部には、接続孔７６が設けられており、この接続孔７６内には、接続用のコイルばね７７が上下方向に突出可能に配置されている。また、装飾部材７１の外周部において上方に露出する上面には、時字や模様、図形などが設けられている。
発光部材７２は、第１実施形態と同様、ＥＬ素子などの発光素子からなる円板状の平面発光体であり、その下側のほぼ半分程度が装飾部材７１の下側凹部７４内に配置され、この状態で装飾部材７１の接続孔７６に配置されたコイルばね７７により時計モジュール５（図１参照）の電極と電気的に接続されている。
【００５４】
光透過性部材７３は、導光性を有する材料からなる円形状の平板であり、その上面側に光が外部に出射するのを防ぐように反射する遮光反射処理部７３Ａが施され、これにより下面側から入射した光をその面方向における外周部の端面７８に導き、この端面７８から外部に向けて出射するように構成されている。この場合、光透過性部材７３は、その外形が下側の発光部材７２の外形よりも大きく、かつ最下層の装飾部材７１の外形よりも小さく形成されている。また、この光透過性部材７３の下面の中央部分には、発光部材７２を収納する上側凹部７５が発光部材７２の厚さのほぼ上側半分程度の深さで形成されている。また、腕時計ケース１の見切り部９の内周面は、上部から下部に向かってすり鉢状に傾斜する斜面に形成されており、この斜面には、反射面７９が設けられている。
なお、光透過性部材７３の上面に光が外部に出射するのを防ぐように反射する遮光反射処理部７３Ａを施す代わりに、光透過性部材７３自体を左右方向に光を導く導光性材料で形成し、下部から入射された光を外周部の端面７８に導き、この端面７８から外周部の外側に向けて出射するように構成しても良い。
【００５５】
このような腕時計の時計用文字板７０では、中間層の発光部材７２が発光すると、その光が最上層の光透過性部材７３内に入射し、この入射した光が光透過性部材７３の上面から外部に出射することなく、光透過性部材７３の外周部の端面７８に導かれ、この端面７８から外部に出射されるので、光透過性部材７３の外周部の外側を照明することができ、これにより暗い所でも時刻を知ることができる。特に、光透過性部材７３の外周部の外側に装飾部材７１の外周部分が露出し、この露出した装飾部材７１の外周部分が照明されるため、例えば、光透過性部材７３の外周側に位置する装飾部材７１の上面に時字や模様などが設けられていれば、その時字や模様などをも照明することができ、これにより光透過性部材７３と装飾部材７１との両者により装飾効果が得られるので、装飾的なバリエーションが豊富になり、多彩な装飾効果を得ることができる。
【００５６】
このときには、光透過性部材７３の外周部の端面７８から外部に出射した光が、腕時計ケース１の見切り部９の斜面に設けられた反射面７９により上方に向けて反射されるので、より一層、光透過性部材７３の外周部の外側を明るくすることができる。これによっても装飾的なバリエーションが豊富になり、より一層、多彩な装飾効果を得ることができる。
また、この時計用文字板７０では、最下層の装飾部材７１の上面に下側凹部７４を設け、最上層の光透過性部材７３の下面に上側凹部７５を設け、この両者で中間層の発光部材７２を収納しているので、３層構造であっても、時計用文字板７０全体の厚さを薄くすることができ、これにより腕時計全体の薄型化および小型化を図ることができる。
【００５７】
なお、上記第１２実施形態の時計用文字板７０では、光透過性部材７３が導光性を有する材料からなる円形状の平板で、その上面側に光が外部に出射するのを防ぐように反射する遮光反射処理が施され、これにより下面側から入射した光をその面方向における外周部の端面７８に導き、この端面７８から外部に向けて出射するように構成されているが、これに限らず、例えば、前述した第１、第２実施形態と同様、光透過性部材はガラスや合成樹脂などからなる光透過性を有する円形状の平板であっても良い。この場合には、発光部材７２からの光が光透過性部材をそのまま透過して上方に出射するので、中央部分を照明することができるとともに、光透過性部材の外周側に露出した装飾部材７１をも照明することができる。このため、装飾的なバリエーションが豊富になり、多彩な装飾効果を得ることができる。
【００５８】
なおまた、上記第１２実施形態の時計用文字板７０では、装飾部材７１と光透過性部材７３との両者にそれぞれ下側凹部７４と上側凹部７５とを設け、これら下側凹部７４と上側凹部７５との両者で発光部材７２を収納するように構成したが、これに限らず、例えば、図１７（ａ）または図１７（ｂ）に示すように構成しても良い。
すなわち、図１７（ａ）に示された第１変形例の時計用文字板８０では、装飾部材８１を平坦状に形成し、光透過性部材８２の下面のみに発光部材７２を収納する収納凹部８３を設け、この収納凹部８３内に発光部材７２を下側に突出することなく収納するように構成した。この場合には、発光部材７２の厚さを光透過性部材８２の厚さよりも薄く形成すれば良く、また装飾部材８１の発光部材７２に対応する箇所に接続孔８４を上下に貫通させて設ければ良い。このように構成しても、第１２実施形態と同様の作用効果がある。
また、図１７（ｂ）に示された第２変形例の時計用文字板８５では、光透過性部材８６を平坦状に形成し、装飾部材８７の上面のみに発光部材７２を収納する収納凹部８８を設け、この収納凹部８８内に発光部材７２を上側に突出することなく収納するように構成した。この場合には、発光部材７２の厚さを装飾部材８７の厚さよりも薄く形成すれば良い。このように構成しても、第１２実施形態と同様の作用効果がある。
【００５９】
また、上記第１２実施形態およびその各変形例では、光透過性部材７３の外周部の端面７８が平坦面に形成されているが、これに限らず、例えば、前述した図７（ａ）に示した第５実施形態の第１変形例のように、光透過性部材７３の外周部の端面７８を凹凸面３４ａ（図７（ａ）参照）に形成して光を外部に拡散させるようにしても良く、また前述した図７（ｂ）に示した第５実施形態の第２変形例のように、光透過性部材７３の外周部の端面７８を上向きの斜面３４ｂ（図７（ｂ）参照）に形成して光を斜め上方に向けて出射するようにしても良い。
さらに、これらに限らず、前述した図８（ａ）および図８（ｂ）に示した第６実施形態のように、光透過性部材７３の外周部の端面７８に遮光性を有する装飾部３６（図８（ａ）、（ｂ）参照）を部分的に設け、この装飾部３６により部分的に光を遮断することにより、光透過性部材７３の外周部の外側に光による模様を表現するようにしても良い。また、前述した図９（ａ）および図９（ｂ）に示した第７実施形態のように、光透過性部材７３の外周部の端面７８に、鋭角な凹部４１ａと円弧面状の凸部４１ｂとからなる凹凸形状の装飾部４１（図９（ａ）、（ｂ）参照）を形成し、この装飾部４１により明るさを変化させて光透過性部材７３の外周部の外側に光による模様を表現するようにしても良い。
【００６０】
［第１３実施形態］
次に、図１８を参照して、この発明の時計用文字板を腕時計に適用した第１３実施形態について説明する。この場合にも、図１に示された第１実施形態と同一部分には同一符号を付し、その説明は省略する。
この腕時計は、時計用文字板９０が第１実施形態と異なり、これ以外は第１実施形態とほぼ同じ構成になっている。
すなわち、この時計用文字板９０は、時計モジュール５の上面に配置される最下層の装飾部材９１と、その上に配置される中間層の発光部材９２と、更にその上に配置される最上層の光透過性部材９３とを備え、中間層の発光部材９２と最上層の光透過性部材９３とを最下層の装飾部材９１の面積よりも小さいリング状に形成し、これら発光部材９２と光透過性部材９３とを装飾部材９１の外周部の上面に配置する際、装飾部材９１の上面に設けられた下側凹部９４と光透過性部材９３の下面に設けられた上側凹部９５とで中間層の発光部材９２を収納するように構成されている。
【００６１】
最下層の装飾部材９１は、第１実施形態と同様、金属板からなり、その外周部の上面には、発光部材９２を収納する下側凹部９４が発光部材９２の厚さのほぼ下側半分程度の深さで形成されている。また、この下側凹部９４の底部には、接続孔９６が設けられており、この接続孔９６内には、接続用のコイルばね９７が上下に突出するように配置されている。
発光部材９２は、ＥＬ素子などの発光素子からなるリング形状の平面発光体であり、その下側のほぼ半分程度が装飾部材９１の下側凹部９４内に配置され、この状態で装飾部材９１の接続孔９６に配置されたコイルばね９７により時計モジュール５（図１参照）の電極と電気的に接続されている。
光透過性部材９３は、導光性を有する材料からなるリング形状の平板であり、その上面側に光が外部に出射するのを防ぐように反射する遮光反射処理が施され、これにより下面側から入射した光をその面方向における内周面９８に導き、この内周面９８から内側外部に向けて出射するように構成されている。
【００６２】
この場合、光透過性部材９３は、その内径が下側の発光部材９２の内径よりも小さく、しかも外径が発光部材９２の外径よりも小さく形成されている。この光透過性部材９３の外周部の下面には、発光部材９２を収納する上側凹部９５が発光部材９２の厚さのほぼ上側半分程度の深さで形成されている。また、この光透過性部材９３は、その外周部が中枠６と共に腕時計ケース１の見切り部９により押えられている。さらに、光透過性部材９３の内周部の内側には、装飾部材９１の上面が露出しており、この露出した装飾部材９１の上面には、反射面９９が光透過性部材９３の内周面９８の近傍に設けられている。この反射面９９は、例えば、時字に対応して形成されていたり、あるいは時字に沿うリング形状に形成されている。なお、装飾部材９１の上方に露出する上面には、反射面９９を除いて、模様や図形などが設けられている。また、光透過性部材４６の外部に露出する上面には、時字や模様などが設けられている。
【００６３】
このような腕時計の時計用文字板９０では、発光部材９２が発光すると、その光が光透過性部材９３内に入射し、この入射した光が光透過性部材９３の上面から外部に出射することなく、光透過性部材９３の内周面９８に導かれ、この内周面９８から内側外部に出射されるので、光透過性部材９３の内周部の内側を照明することができ、これにより暗い所でも時刻を知ることができる。しかも、光透過性部材９３の内周面９８から出射した光は、装飾部材９１の上方に露出する上面に設けられた反射面９８により上方に向けて反射されるので、より一層、光透過性部材９３の内周部の内側を明るくすることができる。このため、例えば光透過性部材９３の内周部の内側に位置する装飾部材９１の上面に時字や模様などが設けられていれば、その時字や模様などを良好に照明することができ、これにより装飾的なバリエーションが豊富になり、多彩な装飾効果を得ることができる。
また、この時計用文字板９０によれば、装飾部材９１の上面に下側凹部９４を設け、光透過性部材９３の下面に上側凹部９５を設け、この両者で発光部材９２を収納しているので、３層構造であっても、時計用文字板９０全体の厚さを薄くすることができ、これにより腕時計全体の薄型化および小型化を図ることができる。
【００６４】
なお、上記第１３実施形態の時計用文字板９０では、光透過性部材９３が導光性を有する材料からなるリング形状の平板で、その上面側に光が外部に出射するのを防ぐように反射する遮光反射処理が施され、これにより下面側から入射した光をその面方向における内周面９８に導き、この内周面９８から内側外部に向けて出射するように構成されているが、これに限らず、例えば、前述した第３実施形態と同様、光透過性部材はガラスや合成樹脂などからなる光透過性を有するリング形状の平板であっても良い。この場合には、発光部材９２からの光が光透過性部材をそのまま透過して出射するので、装飾部材９１の外周側を照明することができるとともに、光透過性部材の内周側に露出した装飾部材９１をも照明することができる。このため、装飾的なバリエーションが豊富になり、多彩な装飾効果を得ることができる。
【００６５】
なおまた、上記第１３実施形態の時計用文字板９０では、装飾部材９１と光透過性部材９３との両者にそれぞれ下側凹部９４と上側凹部９５とを設け、これら下側凹部９４と上側凹部９５との両者で発光部材９２を収納するように構成したが、これに限らず、例えば、図１９（ａ）または図１９（ｂ）に示すように構成しても良い。
すなわち、図１９（ａ）に示された第１変形例の時計用文字板１００では、装飾部材１０１を平坦状に形成し、光透過性部材１０２の下面のみに発光部材９２を収納する収納凹部１０３を設け、この収納凹部１０３内に発光部材９２を下側に突出することなく収納するように構成した。このように構成しても、第１３実施形態と同様の作用効果がある。
この場合には、発光部材９２の厚さを光透過性部材１０２の厚さよりも薄く形成すれば良い。また、光透過性部材１０２の内周面に下向きの斜面１０４を形成し、これにより光透過性部材１０２の内周面から出射する光の一部を斜め下方に向けて出射させるようにしても良い。さらに、これに限らず、例えば、前述した図１１（ａ）に示した第８実施形態の第１変形例のように、光透過性部材１０２の内周面を凹凸面に形成して光を内側外部に拡散させるようにしても良い。
【００６６】
また、図１９（ｂ）に示された第２変形例の時計用文字板１０５では、光透過性部材１０６を平坦状に形成し、装飾部材１０７の外周部の上面のみに発光部材９２を収納する収納凹部１０８を設け、この収納凹部１０８内に発光部材９２を上側に突出することなく収納するように構成した。このように構成しても、第１３実施形態と同様の作用効果がある。
この場合にも、発光部材９２の厚さを装飾部材１０７の厚さよりも薄く形成すれば良い。また、光透過性部材１０６の内周面に下向きの斜面１０９を形成し、これにより光透過性部材１０６の内周面から出射する光の一部を斜め下方に向けて出射させるようにしても良い。さらに、これに限らず、例えば、前述した図１１（ａ）に示した第８実施形態の第１変形例のように、光透過性部材１０２の内周面を凹凸面に形成して光を内側外部に拡散させるようにしても良い。
【００６７】
さらに、上記第１３実施形態およびその各変形例に限らず、光透過性部材９３の内周面９８を以下のように構成しても良い。
すなわち、光透過性部材９３の内周面９８に、前述した図１２（ａ）および図１２（ｂ）に示した第９実施形態のように、下向きの斜面を形成し、この斜面に遮光性を有する装飾部３６（図１２（ａ）（ｂ）参照）を部分的に設け、この装飾部３６により部分的に光を遮断することにより、光透過性部材９３の内周部の内側に光による模様を表現するようにしても良い。また、光透過性部材９３の内周面９８に、前述した図１３（ａ）および図１３（ｂ）に示した第１０実施形態のように、鋭角な凸部５７ａと円弧面状の凹部５７ｂとからなる凹凸形状の装飾部５７（図１３（ａ）（ｂ）参照）を形成し、この装飾部５７により明るさを変化させて光透過性部材９３の内周部の内側に光による模様を表現するようにしても良い。
【００６８】
［第１４実施形態］
次に、図２０を参照して、この発明の時計用文字板の第１４実施形態について説明する。この場合には、図１に示された第１実施形態と同一部分に同一符号を付し、その説明は省略する。
この時計用文字板１１０は、最下層の発光部材１１１と、その上に配置される中間層の光透過性部材１１２と、更にその上に配置される最上層の装飾部材１１３とを備え、第１実施形態と同様、腕時計ケース１内に時計モジュール５と共に収納されるように構成されている。
【００６９】
発光部材１１１は、第１実施形態と同様、ＥＬ素子などの発光素子からなる平面発光体であり、時計モジュール５の電極と電気的に接続されている。
光透過性部材１１２は、ガラスや合成樹脂などからなる光透過性を有する平板状のもであり、その上面の所定箇所に第１、第２突出部１１４、１１５が装飾部材１１３の厚さと同じ高さで形成されている。これら第１、第２突出部１１４、１１５は、同心円状のリング形状、あるいは同心円上で時字などに対応して点在する柱状に形成され、第１突出部１１４が第２突出部１１５よりも外周側に位置し、かつ第１突出部１１４の幅が第２突出部１１５の幅よりも大きく形成されている。
装飾部材１１３は金属板からなり、その所定箇所には光透過性部材１１２の第１、第２突出部１１４、１１５がそれぞれ挿入する第１、第２貫通孔１１６、１１７が第１、第２突出部１１４、１１５とほぼ同じ大きさで形成されている。なお、この装飾部材１１３の上面には、時字や模様、図形などが設けられている。
【００７０】
このような時計用文字板１１０によれば、発光部材１１１が発光すると、その光が光透過性部材１１２に下面から入射し、この入射した光が装飾部材１１３の第１、第２貫通孔１１６、１１７に挿入された第１、第２突出部１１４、１１５に導かれ、これら第１、第２突出部１１４、１１５の上面から上方に出射されるので、暗い所でも時刻を知ることができる。このときには、発光部材１１１からの光を装飾部材１１３がその第１、第２突出部１１４、１１５に導いて集め、これにより第１、第２突出部１１４、１１５の各上面から集中させて出射させるので、発光部材１１１からの光を効率良く装飾部材１１３の上方に出射させることができ、これにより第１、第２突出部１１４、１１５の各上面を明かることができる。特に、光透過性部材１１２の第１突出部１１４の幅が第２突出部１１５の幅よりも大きく形成されているので、第１突出部１１４を第２突出部１１５よりも明るくすることができる。このため、光透過性部材１１２と装飾部材１１３との両者の装飾効果により、装飾的なバリエーションが豊富になり、多彩な装飾効果を得ることができる。
【００７１】
この場合、例えば、光透過性部材１１２の第１、第２突出部１１４、１１５の少なくとも一方が時字に対応して形成されている場合には、時字に対応する箇所、およびその付近を明るくすることができ、また第１、第２突出部１１４、１１５の少なくとも一方が時字に沿うリング形状に形成されている場合には、時字に沿うリング形状に明るくすることができ、これらにより装飾的なバリエーションが豊富になり、多彩な装飾効果を得ることができる。
また、この時計用文字板１１０では、光透過性部材１１２の第１、第２突出部１１４、１１５が装飾部材１１３の厚さと同じ高さで形成されているので、第１、第２突出部１１４、１１５の各上面と装飾部材１１３の上面とが同一平面となり、これにより外観的にも好ましいものを得ることができる。
【００７２】
なお、上記第１４実施形態では、光透過性部材１１２の第１、第２突出部１１４、１１５を装飾部材１１３の厚さと同じ高さに形成して、第１、第２突出部１１４、１１５の各上面と装飾部材１１３の上面とが同一平面になるように構成したが、これに限らず、例えば、図２１（ａ）または図２１（ｂ）に示すように構成しても良い。
すなわち、図２１（ａ）に示された第１変形例では、光透過性部材１１２の突出部１１８を装飾部材１１３の厚さよりも高く形成し、この突出部１１８を装飾部材１１３の貫通孔１１９に挿入して、突出部１１８の上端部を装飾部材１１３の上方に突出させた構成になっている。
【００７３】
このよう構成すれば、突出部１１８の上面から上方に向けて光を出射させることができるほか、装飾部材１１９の上方に突出した上端部の側面からも光を出射させることができるので、貫通孔１１９の周囲近傍をも照明することができる。この場合、例えば、突出部１１８の上端部が時字に形成されていれば、時字を立体的に表現することができる。また、突出部１１８は、その上端部の上面を平坦面に形成する必要はなく、例えば、円弧状の湾曲面、または多角形状の屈曲面に形成し、これにより光を放射状に出射させるように構成しても良い。
【００７４】
また、図２１（ｂ）に示された第２変形例では、光透過性部材１１２の突出部１２０を装飾部材１１３の厚さよりも低く形成し、この突出部１２０を装飾部材１１３の貫通孔１２１に挿入して、突出部１２０の上面を装飾部材１１３の貫通孔１２１内に配置させた構成になっている。このよう構成すれば、突出部１２０の上面が貫通孔１２１内に位置しているので、貫通孔１２１の形状とほぼ同じ形状で明るく光らせることができる。
【００７５】
［第１５実施形態］
次に、図２２を参照して、この発明の時計用文字板の第１５実施形態について説明する。この場合には、図２０に示された第１４実施形態と同一部分に同一符号を付し、その説明は省略する。
この時計用文字板１２５は、中間層の光透過性部材１２６が第１４実施形態と異なり、これ以外は第１４実施形態と同じ構成になっている。
すなわち、この光透過性部材１２６は、その上面に第１突出部１２７と第１突出部１２８とが異なる高さで設けられた構成になっている。
【００７６】
この場合、第１突出部１２７は、装飾部材１１３の厚さよりも高く形成され、装飾部材１１３の第１貫通孔１１６に挿入され、その上端部が装飾部材１１３の上方に突出している。この第１突出部１２７の上端面には、遮光性を有する第１装飾部１２９ａが部分的に設けられている。また、第２突出部１２８は、装飾部材１１３の厚さと同じ高さに形成され、装飾部材１１３の第２貫通孔１１７に挿入され、その上面が装飾部材１１３の上面と同一平面になるように形成されている。この第２突出部１２８に対応する箇所の光透過性部材１２６の下面には、遮光性を有する第２装飾部１２９ｂが部分的に設けられている。
【００７７】
このような時計用文字板１２５では、第１４実施形態と同様、発光部材１１１で発光した光が光透過性部材１２６に下面から入射し、この入射した光が装飾部材１１３の第１、第２貫通孔１１６、１１７に挿入された第１、第２突出部１２７、１２８に導かれ、これら第１、第２突出部１２７、１２８の上面から上方に出射されるので、暗い所でも時刻を知ることができる。
このとき、第１突出部１２７では、装飾部材１１３の上方に突出した上端部の側面からも光が出射されるので、その周辺部分をも照明することができるほか、特に、第１突出部１２７の上面から出射される光が第１装飾部１２９ａにより部分的に遮られ、これ以外の部分から出射されるので、第１装飾部１２９ａにより光の模様を表現することができる。
【００７８】
また、第２突出部１２８では、これに対応する箇所の光透過性部材１２６の下面に部分的に設けられた第２装飾部１２９ｂにより、発光部材１１１からの光が遮られるので、第２装飾部１２９ｂから出射される光量が第２装飾部１２９ｂに対応する箇所とそれ以外の箇所とで異なり、これにより明るさの異なる光の模様を表現することができる。
このように、この時計用文字板１２５によれば、第１装飾部１２９ａにより光の模様を表現することができるとともに、第２装飾部１２９ｂによっても明るさの異なる光の模様を表現することができるので、第１４実施形態のものよりも、より一層、装飾的なバリエーションが豊富になり、更に多彩な装飾効果を得ることができる。
【００７９】
［第１６実施形態］
次に、図２３を参照して、この発明の時計用文字板の第１６実施形態について説明する。この場合には、図２２に示された第１５実施形態と同一部分に同一符号を付し、その説明は省略する。
この時計用文字板１３０は、中間層の光透過性部材１２６の第１突出部１２７の第１装飾部１３１ａと第２突出部１２に対応する第２装飾部１３１ｂとが第１５実施形態と異なり、これ以外は第１５実施形態と同じ構成になっている。
すなわち、この光透過性部材１２６の第１突出部１２７は、その上端部が装飾部材１１３の上方に突出し、その上端面に凹凸形状の第１装飾部１３１ａが部分的に設けられている。また、第２突出部１２８は、その上面が装飾部材１１３の上面と同一平面になるように形成され、この第２突出部１２８に対応する箇所の光透過性部材１２６の下面に凹凸形状の第２装飾部１３１ｂが部分的に設けられている。
【００８０】
このような時計用文字板１３０では、第１突出部１２７の上端部から光が出射される際、凹凸形状の第１装飾部１３１ａにより光が拡散されるので、第１装飾部１３１ａの箇所がこれ以外の箇所よりも少し暗くなり、これにより光の模様を表現することができ、また凹凸形状の第２装飾部１３１ｂにより発光部材１１１からの光が拡散されるので、第２装飾部１３１ｂに対向する箇所とこれ以外の箇所とで明るさが異なり、これによっても光の模様を表現することができ、これらにより第１４実施形態と同様、装飾的なバリエーションを豊富にすることができ、多彩な装飾効果を得ることができる。
【００８１】
［第１７実施形態］
次に、図２４を参照して、この発明の時計用文字板の第１７実施形態について説明する。この場合には、図２０に示された第１４実施形態と同一部分に同一符号を付し、その説明は省略する。
この時計用文字板１３５は、最下層の発光部材１１１上に配置される中間層の光透過性部材１３６と最上層の装飾部材１３７とが第１４実施形態と異なり、これ以外は第１４実施形態と同じ構成になっている。
【００８２】
すなわち、光透過性部材１３６は、ガラスや合成樹脂などの光透過性を有するリング状の平板であり、発光部材１１１の外周部の上面に配置されている。この光透過性部材１３６の上面のほぼ中間部には、突出部１３８が設けられている。この突出部１３８は、例えば、リング形状に形成されていたり、または時字、もしくは時字に対応して点在する柱状に形成されている。
装飾部材１３７は、その外周部の下面に光透過性部材１３６を収納する収納凹部１３９が形成され、この収納凹部１３９に対応する部分に光透過性部材１３６の突出部１３８が挿入する貫通孔１４０が形成されている。この場合、光透過性部材１３６の突出部１３８は、貫通孔１４０の深さと同じ高さに形成され、これにより装飾部材１３７の上面と同一平面になるように構成されている。なお、装飾部材１３７の上面には、時字や模様、図形などが設けられている。
【００８３】
このような時計用文字板１３５では、第１４実施形態と同様、発光部材１１１で発光した光が光透過性部材１３６に入射し、この入射した光が装飾部材１３７の貫通孔１４０に挿入された突出部１３８に導かれ、この突出部１３８の上面から上方に出射されるので、暗い所でも時刻を知ることができる。この場合、例えば、光透過性部材１３６の突出部１３８が、時字または時字に対応して点在する柱状に形成されている場合には、時字として、または時字に対応する箇所を明るくすることができ、また突出部１３８が時字に沿うリング形状に形成されている場合には、時字に沿ってリング形状に明るくすることができ、これにより第１４実施形態と同様、装飾的なバリエーションが豊富になり、多彩な装飾効果を得ることができる。
また、この時計用文字板１３５では、装飾部材１３７の下面に収納凹部１３９を設け、この収納凹部１３９内に発光部材１１１を収納したので、３層構造でありながら、時計用文字板１３５全体の厚さを薄くすることができ、これにより腕時計全体の薄型化および小型化をも図ることができる。
【００８４】
なお、上記第１７実施形態では、光透過性部材１３６の突出部１３８を装飾部材１３７の上面と同一平面になるように構成したが、これに限らず、例えば、図２５（ａ）または図２５（ｂ）に示すように構成しても良い。
すなわち、図２５（ａ）に示された第１変形例では、光透過性部材１３６の突出部１４１を装飾部材１３７の貫通孔１４０の深さよりも高く形成し、この突出部１４１の上端部を装飾部材１３７の上方に突出させた構成になっている。このよう構成すれば、突出部１４１の上面から上方に向けて光を出射させることができるほか、装飾部材１３７の上方に突き出した上端部の側面からも光を出射させることができるので、貫通孔１４０の周囲近傍をも照明することができる。この場合、例えば、突出部１４１の上端部が時字に形成されていれば、時字を立体的に表現することができる。また、突出部１４１は、その上端部の上面を平坦面に形成する必要はなく、例えば、円弧状の湾曲面、または多角形状の屈曲面に形成し、これにより光を放射状に出射させるように構成しても良い。
また、図２５（ｂ）に示された第２変形例では、光透過性部材１３６の突出部１４２を装飾部材１３７の貫通孔１４０の深さよりも低く形成し、この突出部１４２を装飾部材１３７の貫通孔４０の内部に配置させた構成になっている。このよう構成すれば、突出部１４２の上面が貫通孔１４０内に位置しているので、貫通孔１４０の形状とほぼ同じ形状で明るく光らせることができる。
【００８５】
また、上記第１７実施形態およびその各変形例に限らず、例えば、前述した図２２の第１５実施形態、または前述した図２３の第１６実施形態で述べたような装飾部を設けても良い。すなわち、第１７実施形態において、光透過性部材１３６の突出部１３８の上面に、第１５実施形態のように、遮光性を有する装飾部１２９ａ（図２２参照）を部分的に設け、この装飾部１２９ａにより光の模様を表現しても良く、また突出部１３８に対応する箇所の光透過性部材１３６の下面に遮光性を有する装飾部１２９ｂ（同図参照）を部分的に設け、この装飾部１２９ｂにより光の模様を表現しても良い。また、第１７実施形態において、光透過性部材１３６の突出部１３８の上面に、第１６実施形態のように、凹凸形状の装飾部１３０ａ（図２３参照）を部分的に設け、この装飾部１３０ａにより光の模様を表現しても良く、また突出部１３８に対応する箇所の光透過性部材１３６の下面に凹凸形状の装飾部１３０ｂ（同図参照）を部分的に設け、この装飾部１３０ｂにより光の模様を表現しても良い。このようにすれば、より一層、装飾的なバリエーションを豊富にすることができ、更に多彩な装飾効果を得ることができる。
【００８６】
［第１８実施形態］
次に、図２６および図２７を参照して、この発明の時計用文字板の第１８実施形態について説明する。この場合には、図１に示された第１実施形態と同一部分に同一符号を付し、その説明は省略する。
この時計用文字板１４５は、最上層の光透過性部材１４６の下側に発光部材１４７と装飾部材１４８とを並列に配置した２層構造で、これ以外は第１実施形態とほぼ同じ構成になっている。
【００８７】
すなわち、最上層の光透過性部材１４６は、ガラスや合成樹脂などの光透過性を有する材料からなる円形状の平板であり、その下面に仕切部１４９がリング状に形成されている。発光部材１４７は、ＥＬ素子などの発光素子からなる円形状の平面発光体であり、その厚さが光透過性部材１４６の仕切部１４９の高さと同じ大きさに形成され、リング状の仕切部１４９の内側に配置され、この状態で時計モジュール５（図１参照）の電極と電気的に接続されている。装飾部材１４８は、金属板からなるリング形状の平板であり、その厚さが光透過性部材１４６の仕切部１４９の高さと同じ大きさに形成され、リング状の仕切部１４９の外側に配置されている。この装飾部材１４８の上面には、時字や模様、図形などが設けられている。なお、光透過性部材１４６の上下面の少なくとも一方にも、模様や図形などが印刷やめっきにより設けられていても良い。
【００８８】
このような時計用文字板１４５では、発光部材１４７が発光すると、その光が光透過性部材１４６のリング状の仕切部１４９の内側に対応する部分を透過して上方に出射するので、光透過性部材１４６の中央部分を明るくすることができ、これにより暗い所でも時刻を知ることができるとともに、光透過性部材１４６の仕切部１４９の外側に配置された装飾部材１４８をも照明することができるので、装飾部材１４８と光透過性部材１４６との両者の装飾により、十分な装飾効果を得ることができる。このため、従来のように光透過性部材の下面に単に発光部材を設けただけの場合に比べて、装飾的なバリエーションが豊富になり、しかも仕切部１４９および発光部材１４７の形状を適宜変えることにより、多彩な装飾効果を得ることが可能になる。
【００８９】
また、この時計用文字板１４５では、光透過性部材１４６の下面に円板状の発光部材１４７とリング状の装飾部材１４８とを並列に配置したので、時計用文字板１４５全体の厚さを薄くすることができ、これにより腕時計全体の薄型化および小型化をも図ることができ、しかも光透過性部材１４６の下面に仕切部１４９を形成したので、この仕切部１４９により発光部材１４７と装飾部材１４８とを位置決めすることができ、容易にかつ精度良く発光部材１４７と装飾部材１４８とを光透過性部材１４６に取り付けることができる。また、発光部材１４７と装飾部材１４８とが同じ厚さで、かつ仕切部１４９の高さと同じに形成されているので、発光部材１４７の下面と装飾部材１４８の下面とが仕切部１４９の下面と共に同一平面となり、このため時計用文字板１４５全体が平坦状になり、外観的にも好ましいものを得ることができる。
【００９０】
なお、上記第１８実施形態では、光透過性部材１４６の下面に仕切部１４９をリング状に形成したが、これに限らず、例えば、図２８（ａ）または図２８（ｂ）に示すように構成しても良い。
すなわち、図２８（ａ）に示された第１変形例では、光透過性部材１４６の中央部分が厚く外周部分が薄くなるように、光透過性部材１４６の下面に段差部１５０を設け、中央部分の下面に発光部材１５１を配置し、外周部分の下面に装飾部材１５２を配置した構成になっている。この場合、装飾部材１５２は、その厚さが発光部材１５１の厚さよりも段差部１５０の高低差だけ厚く形成され、これにより装飾部材１５２の下面が発光部材１５１の下面と同一平面になるように構成されている。このような時計用文字板においても、第１８実施形態と同様の作用効果があることは言うまでもない。
【００９１】
また、図２８（ｂ）に示された第２変形例では、光透過性部材１４６の中央部分が薄く外周部分が厚くなるように、光透過性部材１４６の下面に段差部１５３を設け、中央部分の下面に発光部材１５４を配置し、外周部分の下面に装飾部材１５５を配置した構成になっている。この場合、装飾部材１５５は、その厚さが発光部材１５４の厚さよりも段差部１５３の高低差だけ薄く形成され、これにより装飾部材１５５の下面が発光部材１５４の下面と同一平面になるように構成されている。このような時計用文字板においても、第１８実施形態と同様の作用効果があることは言うまでもない。
【００９２】
［第１９実施形態］
次に、図２９および図３０を参照して、この発明の時計用文字板の第１９実施形態について説明する。この場合には、図２６および図２７に示された第１８実施形態と同一部分に同一符号を付し、その説明は省略する。
この時計用文字板１５６は、光透過性部材１４６の下側に配置される発光部材１５７と装飾部材１５８との位置が第１８実施形態と異なり、これ以外は第１８実施形態とほぼ同じ構成になっている。
すなわち、発光部材１５７は、リング形状の平板であり、その厚さが光透過性部材１４６の仕切部１４９の高さと同じ大きさに形成され、リング状の仕切部１４９の外側に配置されている。装飾部材１５８は、円形状の平板であり、その厚さが光透過性部材１４６の仕切部１４９の高さと同じ大きさに形成され、リング状の仕切部１４９の内側に配置されている。この装飾部材１５８の上面には、時字や模様、図形などが設けられている。なお、光透過性部材１５７の上下面の少なくとも一方に模様やも、図形などが印刷やめっきにより設けられていても良い。
【００９３】
このような時計用文字板１５６では、発光部材１５７が発光すると、その光が光透過性部材１４６のリング状の仕切部１４９の外周側を透過して上方に出射するので、光透過性部材１４６の外周側を明るくすることができ、これにより暗い所でも時刻を知ることができるとともに、仕切部１４９の内側に配置された装飾部材１５８をも照明することができるので、この装飾部材１５８と光透過性部材１４６との両者によって、十分な装飾効果を得ることができる。このため、第１８実施形態と同様、装飾的なバリエーションが豊富になり、しかも仕切部１４９および発光部材１５７の形状を適宜変えることにより、多彩な装飾効果を得ることが可能になる。
また、この時計用文字板１５６においても、第１８実施形態と同様、光透過性部材１４６の下面に発光部材１５７と装飾部材１５８とを並列に配置したので、時計用文字板１５６全体の厚さを薄くすることができ、しかも光透過性部材１４６の仕切部１４９により、発光部材１５７と装飾部材１５８とを位置決めできるので、容易にかつ精度良く光透過性部材１４６に取り付けることができる。
【００９４】
なお、上記第１９実施形態では、第１８実施形態と同様、光透過性部材１４６の下面に仕切部１４９をリング状に形成した場合について述べたが、これに限らず、例えば、図３１（ａ）または図３１（ｂ）に示すように構成しても良い。
すなわち、図３１（ａ）に示された第１変形例では、光透過性部材１４６の中央部分が厚く外周部分が薄くなるように、光透過性部材１４６の下面に段差部１６０を設け、中央部分の下面に装飾部材１６１を配置し、外周部分の下面に発光部材１６２を配置した構成になっている。この場合、装飾部材１６１は、その厚さが発光部材１６２の厚さよりも段差部１６０の高低差だけ薄く形成され、これにより装飾部材１６１の下面が発光部材１６２の下面と同一平面になるように構成されている。このような時計用文字板においても、第１９実施形態と同様の作用効果があることは言うまでもない。
【００９５】
また、図３１（ｂ）に示された第２変形例では、光透過性部材１４６の中央部分が薄く外周部分が厚くなるように、光透過性部材１４６の下面に段差部１６３を設け、中央部分の下面に装飾部材１６４を配置し、外周部分の下面に発光部材１６５を設配置した構成になっている。この場合、装飾部材１６４は、その厚さが発光部材１６５の厚さよりも段差部１６３の高低差だけ厚く形成され、これにより装飾部材１６４の下面が発光部材１６５の下面と同一平面になるように構成されている。このような時計用文字板においても、第１９実施形態と同様の作用効果があることは言うまでもない。
【００９６】
［第２０実施形態］
次に、図３２を参照して、この発明の時計用文字板の第２０実施形態について説明する。この場合には、図１に示された第１実施形態と同一部分に同一符号を付し、その説明は省略する。
この時計用文字板１７０は、発光部材１７１上に光透過性部材１７２を積層し、この状態でその両者を装飾部材１７３の収納部１７４内に収納した構成で、これ以外は第１実施形態と同じ構成になっている。
すなわち、発光部材１７１は、第１実施形態と同様、ＥＬ素子などの発光素子からなる円板状の平面発光体であり、時計モジュール５（図１参照）の電極と電気的に接続されている。
【００９７】
光透過性部材１７２は、ガラスや合成樹脂などからなる光透過性を有する円形状の平板状のもであり、発光部材１７１と同じ大きさに形成され、発光部材１７１の上面に重なり合って積層されるように構成されている。なお、この光透過性部材１７２の上面には、模様や図形などが設けられている。
装飾部材１７３は、金属や合成樹脂からなり、中央部分に円形状の収納部１７４が上下方向に貫通して形成されたリング形状の平板であり、その厚さが発光部材１７１と光透過性部材１７２とを積層した厚さと同じに形成されている。この装飾部材１７３は、収納部１７４内に発光部材１７１と光透過性部材１７２とが積層された状態で収納され、発光部材１７１の下面と装飾部材１７３の下面とが同一平面をなし、かつ光透過性部材１７２の上面と装飾部材１７３の上面とが同一平面をなし、これにより全体が平坦状になるように構成されている。なお、この装飾部材１７３の上面には、時字や模様、図形などが設けられている。
【００９８】
このような時計用文字板１７０では、装飾部材１７３の中央部分に収納部１７４が設けられ、この収納部１７４内に収納された発光部材１７１が発光すると、その光が光透過性部材１７２を透過して上方に出射するので、装飾部材１７３の中央部分を明るくすることができ、しかも装飾部材１７３の外周部分が露出しているので、こお露出した装飾部材１７３の内周部分をも照明することができ、このため通常の文字板としての装飾性をもちながら、暗い所でも時刻を知ることができるとともに、十分な装飾効果を得ることができる。この場合、例えば、光透過性部材１７２の上面に模様や図形などが設けられ、装飾部材１７３の上面にも、時字や模様、図形などが設けられていることにより、その両者によって、より一層、十分な装飾効果を得ることができ、また装飾部材１７３の収納部１７４およびその内部に収納される発光部材１７１と光透過性部材１７２との形状を適宜変えることにより、装飾的なバリエーションが豊富になり、多彩な装飾効果を得ることが可能になる。
【００９９】
また、この時計用文字板１７０では、装飾部材１７３の中央部分に収納部１７４を設け、この収納部１７４内に発光部材１７１と光透過性部材１７２とを積層させた状態で収納したので、時計用文字板１７０全体の厚さを薄くすることができ、これにより腕時計全体の薄型化および小型化をも図ることができ、しかも装飾部材１７３の収納部１７４により、発光部材１７１と光透過性部材１７２とを位置決めできるので、容易にかつ精度良く光透過性部材１７２に取り付けることができる。また、この時計用文字板１７０は、装飾部材１７３の下面と発光部材１７１の下面とが同一平面をなし、かつ装飾部材１７３の上面と光透過性部材１７２の上面とが同一平面をなし、これにより全体が平坦状に構成されているので、外観的にも好ましいものを得ることができる。
【０１００】
なお、上記第２０実施形態では、発光部材１７１と光透過性部材１７２とを同じ大きさに形成したが、これに限らず、例えば、図３３（ａ）に示す第１変形例のように、発光部材１７５を光透過性部材１７２よりも大きく形成し、これにより発光部材１７５の外周部を光透過性部材１７２の側方に突出させた状態で積層するように構成しても良い。この場合には、装飾部材１７３の中央部分に段差状の収納部１７６を形成すれば良い。すなわち、この収納部１７６は、下部側に発光部材１７５を収納する大径孔部１７６ａを形成し、上部側に光透過性部材１７２を収納する小径孔部１７６ｂを形成した構造になっている。このような構造にすれば、第２０実施形態と同様の作用効果があるほか、特に、発光部材１７５が光透過性部材１７２よりも大きく形成され、その外周部が光透過性部材１７２の側方に突出しても、その突出した外周部を収納部１７６の小径孔部１７６ｂの縁部で隠すことができ、このため発光部材１７５の外周部に電気的な接続部分を設けても、外部から見えないように隠すことができるので、外観的にも好ましいものを得ることができる。
【０１０１】
また、上記第２０実施形態では、装飾部材１７３の中央部分に収納部１７４を上下に貫通させて形成したが、これに限らず、例えば、図３３（ｂ）に示す第２変形例のように、装飾部材１７３の中央部分に収納凹部１７７を形成し、この収納凹部１７７内に発光部材１７１と光透過性部材１７２とを重ね合わせて収納するように構成しても良い。この場合には、収納凹部１７７を発光部材１７１と光透過性部材１７２との積層厚とほぼ同じ深さに形成し、光透過性部材１７２の上面が装飾部材１７３の上面と同一平面になるように構成すれば良い。このような構造でも、第２０実施形態と同様の作用効果があるほか、収納凹部１７７の底面によって発光部材１７１と光透過性部材１７２との上下方向の位置決めもできるので、より一層、正確に装着することができる。
【０１０２】
［第２１実施形態］
次に、図３４を参照して、この発明の時計用文字板の第２１実施形態について説明する。この場合には、図３２に示された第２０実施形態と同一部分に同一符号を付し、その説明は省略する。
この時計用文字板１８０は、発光部材１８１と光透過性部材１８２とをそれぞれリング形状に形成し、発光部材１８１上に光透過性部材１８２を積層させ、その両者を装飾部材１８３の外周の収納部１８４に配置した構成で、これ以外は第２０実施形態と同じ構成になっている。
すなわち、発光部材１８１は、ＥＬ素子などの発光素子からなるリング形状の平面発光体であり、第１実施形態と同様、時計モジュール５（図１参照）の電極と電気的に接続されている。
【０１０３】
光透過性部材１８２は、ガラスや合成樹脂などからなる光透過性を有するリング形状の平板であり、発光部材１８１と同じ大きさに形成され、発光部材１８１の上面に重なり合って積層されるように構成されている。なお、この光透過性部材１８２の上面には、模様や図形などが設けられている。
装飾部材１８３は、金属や合成樹脂からなる円形状の平板であり、その外径が発光部材１８１と光透過性部材１８２との両者の各内径とほぼ同じ大きさに形成され、かつその厚さが発光部材１８１と光透過性部材１８２とを積層した厚さと同じに形成されている。このため、装飾部材１８３は、その外周部が収納部１８４となり、発光部材１８１と光透過性部材１８２とが積層された状態で、外周の収納部１８４に配置されるように構成されている。この場合、装飾部材１８３は、その下面が発光部材１８１の下面と同一平面をなし、かつ上面が光透過性部材１８２の上面と同一平面をなし、これにより全体が平坦状になるように構成されている。なお、この装飾部材１８３の上面には、時字や模様、図形などが設けられている。
【０１０４】
このような時計用文字板１８０では、リング形状の発光部材１８１上にこれと同じ大きさのリング形状の光透過性部材１８２を積層し、これらを円板状の装飾部材１８３の外周の収納部１８４に配置したので、リング形状の発光部材１８１が発光すると、その光が光透過性部材１８２を透過して上方に出射し、これにより装飾部材１８３の外周側を明るくすることができ、しかも装飾部材１８３の上面が露出しているので、この露出した装飾部材１８３の外周部分をも照明することができ、これにより第２０実施形態と同様、通常の文字板としての装飾性をもちながら、暗い所でも時刻を知ることができるとともに、十分な装飾効果を得ることができる。この場合、例えば、光透過性部材１８２の上面に模様や図形などが設けられ、装飾部材１８３の上面にも、時字や模様、図形などが設けられていることにより、その両者によって、より一層、十分な装飾効果を得ることができ、装飾的なバリエーションが豊富になり、多彩な装飾効果を得ることが可能になる。
【０１０５】
また、この時計用文字板１８０では、リング形状の発光部材１８１上にこれと同じ大きさのリング形状の光透過性部材１８２を積層し、これらを円板状の装飾部材１８３の外周の収納部１８４に配置したので、時計用文字板１８０全体の厚さを薄くすることができ、これにより腕時計全体の薄型化および小型化をも図ることができ、しかも装飾部材１８３により発光部材１８１と光透過性部材１８２とを位置決めできるので、容易にかつ精度良く光透過性部材１８２に取り付けることができる。また、この時計用文字板１８０は、装飾部材１８３の下面と発光部材１８１の下面とが同一平面をなし、かつ装飾部材１８３の上面と光透過性部材１８２の上面とが同一平面をなし、これにより全体が平坦状に構成されているので、外観的にも好ましいものを得ることができる。
【０１０６】
なお、上記第２１実施形態では、発光部材１８１と光透過性部材１８２とを同じ大きさに形成したが、これに限らず、例えば、図３５（ａ）に示す第１変形例のように、光透過性部材１８５の内径を発光部材１８１よりも大きく形成し、これにより発光部材１８１の内周部を光透過性部材１８５の内側に突出させた状態で積層するように構成しても良い。この場合には、装飾部材１８３の外周の収納部１８６を段差状に形成すれば良い。すなわち、装飾部材１８３の外周の収納部１８６は、下部側に発光部材１８１が装着する小径部１８３ａを形成し、上部側に光透過性部材１８５が装着する大径部１８３ｂを形成した構造になっている。このような構造にすれば、第２１実施形態と同様の作用効果があるほか、特に、光透過性部材１８５の内径を発光部材１８１よりも大きく形成し、発光部材１８１の内周部が光透過性部材１８５の内側に突出しても、その突出した内周部を装飾部材１８３の大径部１８３ｂにより隠すことができ、このため発光部材１８１の外周部に電気的な接続部分を設けても、外部から見えないように隠すことができるので、外観的にも好ましいものを得ることができる。
【０１０７】
また、上記第２１実施形態では、発光部材１８１と光透過性部材１８２との両者を装飾部材１８３の外周に配置したが、これに限らず、例えば、図３５（ｂ）に示す第２変形例のように、装飾部材１８３の外周部に切欠凹部１８７を形成し、この切欠凹部１８７内に発光部材１８１と光透過性部材１８２とを重ね合わせて装着するように構成しても良い。この場合には、切欠凹部１８７を発光部材１８１と光透過性部材１８２との積層厚とほぼ同じ深さに形成し、光透過性部材１８２の上面が装飾部材１８３の上面と同一平面になるように構成すれば良い。このような構造でも、第２１実施形態と同様の作用効果があるほか、特に、切欠凹部１８７の底面によって発光部材１８１と光透過性部材１８２との上下方向の位置決めもできるので、より一層、正確に装着することができる。
【０１０８】
なおまた、上記第１８〜第２１実施形態およびその各変形例では、光透過性部材の上面からほぼ均一に光を出射する構造になっているが、これに限らず、例えば、図３６（ａ）または図３６（ｂ）に示すような構造であっても良い。
すなわち、図３６（ａ）に示された第１変形例では、光透過性部材１９０の上面に部分的に光透過率の異なる光透過制御膜１９１を設けた構造になっており、また図３６（ｂ）に示された第２変形例では、光透過性部材１９０の下面に部分的に光透過率の異なる光透過制御膜１９１を設けた構造になっている。この場合、光透過制御膜１９１は、光の透過率が低い膜厚の厚い部分１９１ａと、光の透過率が高い膜厚の薄い部分１９１ｂとを有し、これらが所定箇所ごとに選択的に配置された構造になっている。このような構造であれば、膜厚の厚い部分１９１ａと膜厚の薄い部分１９１ｂとで明かるを変えことができ、この明るさの差により模様や図形などを表現することができ、これにより装飾的なバリエーションを豊富にすることができ、多彩な装飾効果を得ることができる。
【０１０９】
また、上記光透過制御膜１９１は、必ずしも膜厚を変えたものである必要はなく、例えば、印刷濃度を部分的に変えたり、蒸着密度を部分的に変えたりしたものでも良く、また必ずしも上記のような膜である必要はなく、例えば、光透過性部材１９０の表面をスリガラスのような凹凸状の粗面にした表面処理でも良い。この場合には、表面の凹凸状の粗さを部分的に変えれば良い。なお、光透過性部材１９０の上下面の少なくとも一方に、上記のような光透過制御膜や表面処理などを全面に亘って設けることにより、全体を半透明状態にしても良い。このようにすれば、光透過性部材の下側に位置する部材を見にくくすることができ、これにより接続用のコイルばねなどの接続部を隠すことができる。
【０１１０】
また、光透過性部材は、必ずしも透明な材料である必要はなく、例えば、透明な材料に粉末を混入したものや、スモーク系のカラーなどの半透明な材料で形成しても良い。このようにしても、光透過性部材の下側に位置する部材を見にくくすることができ、これにより接続用のコイルばねなどの接続部を隠すことができる。
さらに、この発明の時計用文字板では、装飾部材の上下面、光透過性部材の上下面、および発光部材の上面の全てに印刷やめっきなどで模様や図形などの装飾を施しても良い。このようにすれば、装飾効果が増大するとともに、各部材の積層により模様や図形などを立体的に表現することができ、より一層、装飾的なバリエーションが豊富になり、多彩な装飾効果を得ることが可能になる。
さらにまた、上記第１〜第２１実施形態およびその各変形例では、腕時計に適用した場合について述べたが、これに限らず、置き時計や目覚まし時計、あるいは掛け時計などの時計にも適用することができる。
【符号の説明】
【０１１１】
１  腕時計ケース
４、15、20、25、30、35、40、45、50、55、60  時計用文字板
９  腕時計ケースの見切り部
10  発光部材
11、17、22  装飾部材
12、16、21、26、31、46、51、61  光透過性部材
13、18、23  貫通孔
27  光透過性部材の上面の装飾層
28、29  非装飾部
32、47、65  光透過性部材の端面
33、37、42  見切り部の反射面
34ａ、49ａ  光透過性部材の端面の凹凸面
34ｂ、49ｂ、52  光透過性部材の端面の斜面
36、41、53、57  光透過性部材の端面の装飾部
48、54  装飾部材の上面の反射面
66  指針
67、68  指針の先端の斜面
【図１】
2010197409.tif 000003
【図２】
2010197409.tif 000004
【図３】
2010197409.tif 000005
【図４】
2010197409.tif 000006
【図５】
2010197409.tif 000007
【図６】
2010197409.tif 000008
【図７】
2010197409.tif 000009
【図８】
2010197409.tif 000010
【図９】
2010197409.tif 000011
【図１０】
2010197409.tif 000012
【図１１】
2010197409.tif 000013
【図１２】
2010197409.tif 000014
【図１３】
2010197409.tif 000015
【図１４】
2010197409.tif 000016
【図１５】
2010197409.tif 000017
【図１６】
2010197409.tif 000018
【図１７】
2010197409.tif 000019
【図１８】
2010197409.tif 000020
【図１９】
2010197409.tif 000021
【図２０】
2010197409.tif 000022
【図２１】
2010197409.tif 000023
【図２２】
2010197409.tif 000024
【図２３】
2010197409.tif 000025
【図２４】
2010197409.tif 000026
【図２５】
2010197409.tif 000027
【図２６】
2010197409.tif 000028
【図２７】
2010197409.tif 000029
【図２８】
2010197409.tif 000030
【図２９】
2010197409.tif 000031
【図３０】
2010197409.tif 000032
【図３１】
2010197409.tif 000033
【図３２】
2010197409.tif 000034
【図３３】
2010197409.tif 000035
【図３４】
2010197409.tif 000036
【図３５】
2010197409.tif 000037
【図３６】
2010197409.tif 000038
【手続補正書】
【提出日】平成22年7月16日(2010.7.16)
【手続補正１】
【補正対象書類名】明細書
【補正対象項目名】０００５
【補正方法】変更
【補正の内容】
【０００５】
この発明は、上記課題を解決するために、次のような構成を備えている。
なお、各構成要素には、後述する各実施形態の項で説明される各要素に付されている図面の参照番号などを括弧とともに付す。
請求項１に記載の発明に係る時計用文字板は、図１に示すように、最上層位置に配置された光透過性部材（光透過性部材１２）と、中間層位置に複数の貫通部（貫通孔１３）が設けられた装飾部材（装飾部材１１）と、最下層位置に配置された発光部材（発光部材１０）とを備え、
前記貫通部（貫通孔１３）は、前記光透過性部材（光透過性部材１２）の上下面のうちの少なくとも一方の面に設けられている１時から１２時までの各時字それぞれに対向した位置に設けられていることを特徴とする。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】変更
【補正の内容】
【００１３】
さらに、請求項２に記載の発明に係る時計は、図１に示すように、請求項１に記載の時計用文字板（時計用文字板４）と、この時計用文字板（時計用文字板４）を内部に配置した時計ケース（時計ケース１）と、この時計ケース（時計ケース１）の上端部位置に配置された時計ガラス（時計ガラス２）とを備えていることを特徴とする。
【手続補正１０】
【補正対象書類名】明細書
【補正対象項目名】００１４
【補正方法】変更
【補正の内容】
【００１４】
以上説明したように、請求項１に記載の発明によれば、最下層の発光部材からの光が中間層の装飾部材に設けられた複数の貫通部を通り、この複数の貫通部に対応する部分の最上層の光透過性部材を透過するので、この複数の貫通部それぞれに対向した位置に設けられている１時から１２時までの各時字をそれぞれ照明することができる。
このため暗い所でもそれぞれ照明された１時から１２時までの各時字を通じて時刻を知ることができるとともに、装飾部材と光透過性部材との両者の装飾効果が得られるので、装飾的なバリエーションが豊富になり、多彩な装飾効果を得ることが可能になる。
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】変更
【補正の内容】
【００２０】
また、請求項２に記載の発明によれば、時計用文字板を時計ケース内に配置しても、時計ガラスを通して、時計用文字板を見ることができる。このために、暗い所でも時刻を知ることができるとともに、装飾的なバリエーションが豊富になり、多彩な装飾効果を得ることができる。
【手続補正１７】
【補正対象書類名】特許請求の範囲
【補正対象項目名】全文
【補正方法】変更
【補正の内容】
【特許請求の範囲】
【請求項１】
最上層位置に配置された光透過性部材と、中間層位置に複数の貫通部が設けられた装飾部材と、最下層位置に配置された発光部材とを備え、
前記貫通部は、前記光透過性部材の上下面のうちの少なくとも一方の面に設けられている１時から１２時までの各時字それぞれに対向した位置に設けられていることを特徴とする時計用文字板。
【請求項２】
請求項１に記載の時計用文字板と、
この時計用文字板を内部に配置した時計ケースと、
この時計ケースの上端部位置に配置された時計ガラスと、
を備えていることを特徴とする時計。